(57)【要約】  ワイヤレス通信のための方法、システム、および装置が説明される。一部のワイヤレスシステム(たとえば、ニューラジオ(NR)システム)では、システムは、(たとえば、アップリンク中心スロットにおいて)固定長または可変長のアップリンクバースト領域を利用し得る。基地局は、アップリンクバースト領域内のアップリンク制御チャネル送信のために、ユーザ機器(UE)またはUEのグループを、準静的または動的に構成し得る。準静的な構成では、UEは、より高次のレイヤのシグナリングを介して、またはデフォルト値に基づいて、送信もしくは指示される値に基づいて、アップリンク制御チャネル送信を決定し得る。動的な構成では、UEは、物理レイヤメッセージの中の基地局によって使用される実際のリソースの指示を受信し得る。UEは、この指示に基づいて、アップリンク制御チャネル送信を使用して送信し得る。いくつかの場合、基地局は、どのUEが準静的に構成されるか、およびいずれが動的に構成されるかに基づいて、符号分割多重化(CDM)グループを割り振り得る。
2020512746.tif 000002
【特許請求の範囲】
【請求項１】
ワイヤレス通信のための方法であって、
アップリンク制御チャネル構成の指示を受信するステップと、
ダウンリンク部分、第1のアップリンク部分、および第2のアップリンク部分を有する送信時間間隔(TTI)の前記第1のアップリンク部分の間の送信のためのアップリンク制御情報(UCI)を特定するステップであって、前記第1のアップリンク部分が前記第2のアップリンク部分より長い時間長を有する、ステップと、
前記アップリンク制御チャネル構成に従って前記TTIの前記第1のアップリンク部分または前記第2のアップリンク部分の間に前記UCIを送信するステップとを備える、方法。
【請求項２】
ユーザ機器(UE)能力の指示を送信するステップをさらに備え、前記アップリンク制御チャネル構成の前記指示が、前記UE能力に少なくとも一部基づく、請求項1に記載の方法。
【請求項３】
前記第1のアップリンク部分内での前記UCIの送信のためのホッピングパターンを決定するステップをさらに備え、前記ホッピングパターンが、前記UCIのペイロードサイズに少なくとも一部基づいてホッピングパターンのセットから選択される、請求項1に記載の方法。
【請求項４】
前記ホッピングパターンのための復調基準信号(DMRS)に対するシンボルインデックスを決定するステップをさらに備え、前記シンボルインデックスが、ホッピングパターンの前記セットの各ホッピングパターンに対して同じ値を備える、請求項3に記載の方法。
【請求項５】
前記アップリンク制御チャネル構成を有するアップリンク制御チャネルの少なくとも一部分が、前記TTIの前記ダウンリンク部分と前記第1のアップリンク部分との間のギャップ期間の少なくとも一部分と重複する、請求項1に記載の方法。
【請求項６】
前記アップリンク制御チャネル構成が、前記ギャップ期間の間にUEを多重化するための第1のコードと、前記TTIの前記第1のアップリンク部分の間にUEを多重化するための第2のコードとを備える、請求項5に記載の方法。
【請求項７】
前記UCIを送信するステップが、
前記TTIの前記第1のアップリンク部分の間に前記UCIの第1の部分を、前記TTIの前記第2のアップリンク部分の間に第2の部分を送信するステップを備える、請求項1に記載の方法。
【請求項８】
前記指示を受信するステップが、
物理レイヤメッセージを介して前記指示を受信するステップを備える、請求項1に記載の方法。
【請求項９】
前記物理レイヤメッセージが、物理制御フォーマットインジケータチャネル(PCFICH)または物理ダウンリンク制御チャネル(PDCCH)のうちの少なくとも1つを備える、請求項8に記載の方法。
【請求項１０】
前記物理レイヤメッセージが、UE固有のPDCCHメッセージまたは共通のPDCCHメッセージを備える、請求項8に記載の方法。
【請求項１１】
前記アップリンク制御チャネル構成が、PDCCHによって占有される前記TTIの前記ダウンリンク部分のシンボルの数もしくは前記TTIの前記第2のアップリンク部分のシンボルの数、またはこれらの両方に少なくとも一部基づく、請求項8に記載の方法。
【請求項１２】
前記指示が、前記アップリンク制御チャネル構成の直交周波数分割多重化(OFDM)シンボルの数、前記TTIの前記第1のアップリンク部分のOFDMシンボルの数、前記TTIの前記第2のアップリンク部分のOFDMシンボルの数、または前記TTIの前記ダウンリンク部分のOFDMシンボルの数、またはこれらの任意の組合せを示す、請求項1に記載の方法。
【請求項１３】
前記指示が、システム情報ブロック(SIB)または無線リソース制御(RRC)シグナリングを介して受信される、請求項1に記載の方法。
【請求項１４】
ワイヤレス通信のための方法であって、
アップリンク制御チャネル構成の指示を送信するステップと、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信するステップとを備え、前記第1のアップリンク部分が前記第2のアップリンク部分より長い時間長を有する、方法。
【請求項１５】
ユーザ機器(UE)能力の指示を受信するステップをさらに備え、前記アップリンク制御チャネル構成の前記指示が、前記UE能力に少なくとも一部基づく、請求項14に記載の方法。
【請求項１６】
前記第1のアップリンク部分内での前記UCIの送信のためのホッピングパターンを決定するステップをさらに備え、前記ホッピングパターンが、前記UCIのペイロードサイズに少なくとも一部基づいてホッピングパターンのセットから選択される、請求項14に記載の方法。
【請求項１７】
前記UCIを受信するステップが、
少なくとも、前記TTIの前記第1のアップリンク部分の間に前記UCIの第1の部分を、前記TTIの前記第2のアップリンク部分の間に第2の部分を受信するステップを備える、請求項14に記載の方法。
【請求項１８】
前記指示を送信するステップが、
物理レイヤメッセージを介して前記指示を送信するステップを備える、請求項14に記載の方法。
【請求項１９】
前記物理レイヤメッセージが、物理制御フォーマットインジケータチャネル(PCFICH)または物理ダウンリンク制御チャネル(PDCCH)のうちの少なくとも1つを備える、請求項18に記載の方法。
【請求項２０】
前記指示が、前記アップリンク制御チャネル構成の直交周波数分割多重化(OFDM)シンボルの数、前記TTIの前記第1のアップリンク部分のOFDMシンボルの数、前記TTIの前記第2のアップリンク部分のOFDMシンボルの数、または前記TTIの前記ダウンリンク部分のOFDMシンボルの数、またはこれらの任意の組合せを示す、請求項14に記載の方法。
【請求項２１】
前記物理レイヤメッセージが、UE固有のPDCCHメッセージまたは共通のPDCCHメッセージを備える、請求項18に記載の方法。
【請求項２２】
前記アップリンク制御チャネル構成が、PDCCHによって占有される前記TTIの前記ダウンリンク部分のシンボルの数もしくは前記TTIの前記第2のアップリンク部分のシンボルの数、またはこれらの両方に少なくとも一部基づく、請求項18に記載の方法。
【請求項２３】
前記指示が、システム情報ブロック(SIB)または無線リソース制御(RRC)シグナリングを介して送信される、請求項14に記載の方法。
【請求項２４】
ワイヤレス通信のための装置であって、
アップリンク制御チャネル構成の指示を受信するための手段と、
ダウンリンク部分、第1のアップリンク部分、および第2のアップリンク部分を有する送信時間間隔(TTI)の前記第1のアップリンク部分または前記第2のアップリンク部分の間の送信のためのアップリンク制御情報(UCI)を特定するための手段であって、前記第1のアップリンク部分が前記第2のアップリンク部分より長い時間長を有する、手段と、
前記アップリンク制御チャネル構成に従って前記TTIの前記第1のアップリンク部分または前記第2のアップリンク部分の間に前記UCIを送信するための手段とを備える、装置。
【請求項２５】
ユーザ機器(UE)能力の指示を送信するための手段をさらに備え、前記アップリンク制御チャネル構成の前記指示が、前記UE能力に少なくとも一部基づく、請求項24に記載の装置。
【請求項２６】
前記第1のアップリンク部分内での前記UCIの送信のためのホッピングパターンを決定するための手段をさらに備え、前記ホッピングパターンが、前記UCIのペイロードサイズに少なくとも一部基づいてホッピングパターンのセットから選択される、請求項24に記載の装置。
【請求項２７】
前記指示が、物理レイヤメッセージまたはシステム情報ブロック(SIB)または無線リソース制御(RRC)シグナリングを介して受信される、請求項24に記載の装置。
【請求項２８】
ワイヤレス通信のための装置であって、
アップリンク制御チャネル構成の指示を送信するための手段と、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信するための手段とを備え、前記第1のアップリンク部分が前記第2のアップリンク部分より長い時間長を有する、装置。
【請求項２９】
ワイヤレス通信のための装置であって、
プロセッサと、
前記プロセッサと電気的に通信しているメモリと、
前記メモリに記憶される命令とを備え、前記命令が、前記装置に、
アップリンク制御チャネル構成の指示を受信させ、
ダウンリンク部分、第1のアップリンク部分、および第2のアップリンク部分を有する送信時間間隔(TTI)の前記第1のアップリンク部分または前記第2のアップリンク部分の間の送信のためのアップリンク制御情報(UCI)を特定させ、前記第1のアップリンク部分が前記第2のアップリンク部分より長い時間長を有し、
前記アップリンク制御チャネル構成に従って前記TTIの前記第1のアップリンク部分または前記第2のアップリンク部分の間に前記UCIを送信させる
ように前記プロセッサによって実行可能である、装置。
【請求項３０】
ワイヤレス通信のための装置であって、
プロセッサと、
前記プロセッサと電気的に通信しているメモリと、
前記メモリに記憶される命令とを備え、前記命令が、前記装置に、
アップリンク制御チャネル構成の指示を送信させ、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信させる
ように前記プロセッサによって実行可能であり、前記第1のアップリンク部分が前記第2のアップリンク部分より長い時間長を有する、装置。
【請求項３１】
ワイヤレス通信のためのコードを記憶する非一時的コンピュータ可読記憶媒体であって、前記コードが、プロセッサによって、
アップリンク制御チャネル構成の指示を受信し、
ダウンリンク部分、第1のアップリンク部分、および第2のアップリンク部分を有する送信時間間隔(TTI)の前記第1のアップリンク部分または前記第2のアップリンク部分の間の送信のためのアップリンク制御情報(UCI)を特定し、前記第1のアップリンク部分が前記第2のアップリンク部分より長い時間長を有し、
前記アップリンク制御チャネル構成に従って前記TTIの前記第1のアップリンク部分または前記第2のアップリンク部分の間に前記UCIを送信する
ように実行可能な命令を備える、非一時的コンピュータ可読記憶媒体。
【請求項３２】
ワイヤレス通信のためのコードを記憶する非一時的コンピュータ可読記憶媒体であって、前記コードが、プロセッサによって、
アップリンク制御チャネル構成の指示を送信し、
ダウンリンク部分、第1のアップリンク部分、および第2のアップリンク部分を有する送信時間間隔(TTI)の前記第1のアップリンク部分または前記第2のアップリンク部分の間の前記アップリンク制御チャネル構成に従ってアップリンク制御情報(UCI)を受信する
ように実行可能な命令を備え、前記第1のアップリンク部分が前記第2のアップリンク部分より長い時間長を有する、非一時的コンピュータ可読記憶媒体。
【請求項３３】
ワイヤレス通信のための方法であって、
送信のためのアップリンク制御情報(UCI)を特定するステップと、
前記UCIのペイロードサイズに少なくとも一部基づいて、前記UCIの送信のためのアップリンクリソースのセットを決定するステップと、
アップリンクリソースの前記セットを使用して前記UCIを送信するステップとを備える、方法。
【請求項３４】
アップリンクリソースの前記セットが、物理アップリンク制御チャネル(PUCCH)リソースのセットおよび物理アップリンク共有チャネル(PUSCH)リソースのセットのうちの少なくとも1つを備える、請求項33に記載の方法。
【請求項３５】
アップリンクリソースの前記セットが、複数のチャネル構造もしくは複数のコーディング方式、または両方を備える、請求項33に記載の方法。
【請求項３６】
複数のポーラ符号を使用して前記UCIをセグメント化するステップをさらに備え、前記UCIを送信するステップが前記セグメント化するステップに少なくとも一部基づく、請求項33に記載の方法。
【請求項３７】
前記UCIの前記ペイロードサイズを1つまたは複数のペイロード閾値と比較するステップをさらに備え、アップリンクリソースの前記セットが、前記比較に少なくとも一部基づいて決定される、請求項33に記載の方法。
【請求項３８】
リソースの前記セットが、第1の、第2の、第3の、および第4の時間長のアップリンク送信時間間隔(TTI)をサポートするシステムにおいて、前記第1の時間長を有するアップリンク制御チャネル、前記第1の時間長より長い前記第2の時間長を有するアップリンク制御チャネル、前記第3の時間長を有するアップリンク共有チャネル、または、前記第3の時間長より長い前記第4の時間長を有するアップリンク共有チャネルを備える、請求項37に記載の方法。
【請求項３９】
ワイヤレス通信のための方法であって、
ユーザ機器(UE)からアップリンク制御情報(UCI)の受信のためのリソースのセットを特定するステップであって、リソースの前記セットが前記UCIのペイロードサイズに少なくとも一部基づいて決定される、ステップと、
リソースの前記セットを介して、前記UCIを前記UEから受信するステップとを備える、方法。
【請求項４０】
リソースの前記セットが、物理アップリンク制御チャネル(PUCCH)リソースのセットおよび物理アップリンク共有チャネル(PUSCH)リソースのセットのうちの少なくとも1つを備える、請求項39に記載の方法。
【請求項４１】
リソースの前記セットが、複数のチャネル構造もしくは複数のコーディング方式、または両方を備える、請求項39に記載の方法。
【請求項４２】
前記UCIを受信するステップが、
複数のポーラ符号を使用して前記UCIの複数のセグメントを受信するステップを備える、請求項39に記載の方法。
【請求項４３】
リソースの前記セットが、第1の、第2の、第3の、および第4の時間長のアップリンク送信時間間隔(TTI)をサポートするシステムにおいて、前記第1の時間長を有するアップリンク制御チャネル、前記第1の時間長より長い前記第2の時間長を有するアップリンク制御チャネル、前記第3の時間長を有するアップリンク共有チャネル、または、前記第3の時間長より長い前記第4の時間長を有するアップリンク共有チャネルを備える、請求項39に記載の方法。
【請求項４４】
ワイヤレス通信のための装置であって、
送信のためのアップリンク制御情報(UCI)を特定するための手段と、
前記UCIのペイロードサイズに少なくとも一部基づいて、前記UCIの送信のためのアップリンクリソースのセットを決定するための手段と、
アップリンクリソースの前記セットを使用して前記UCIを送信するための手段とを備える、装置。
【請求項４５】
前記UCIの前記ペイロードサイズを1つまたは複数のペイロード閾値と比較するための手段をさらに備え、アップリンクリソースの前記セットが、前記比較に少なくとも一部基づいて決定される、請求項44に記載の装置。
【請求項４６】
ワイヤレス通信のための装置であって、
ユーザ機器(UE)からアップリンク制御情報(UCI)の受信のためのリソースのセットを特定するための手段であって、リソースの前記セットが前記UCIのペイロードサイズに少なくとも一部基づいて決定される、手段と、
リソースの前記セットを介して、前記UCIを前記UEから受信するための手段とを備える、装置。
【請求項４７】
ワイヤレス通信のための装置であって、
プロセッサと、
前記プロセッサと電気的に通信しているメモリと、
前記メモリに記憶される命令とを備え、前記命令が、前記装置に、
送信のためのアップリンク制御情報(UCI)を特定させ、
前記UCIのペイロードサイズに少なくとも一部基づいて、前記UCIの送信のためのアップリンクリソースのセットを決定させ、
アップリンクリソースの前記セットを使用して前記UCIを送信させる
ように前記プロセッサによって実行可能である、装置。
【請求項４８】
ワイヤレス通信のための装置であって、
プロセッサと、
前記プロセッサと電気的に通信しているメモリと、
前記メモリに記憶される命令とを備え、前記命令が、前記装置に、
ユーザ機器(UE)からアップリンク制御情報(UCI)の受信のためのリソースのセットを特定させ、リソースの前記セットが前記UCIのペイロードサイズに少なくとも一部基づいて決定され、
リソースの前記セットを介して、前記UCIを前記UEから受信させる
ように前記プロセッサによって実行可能である、装置。
【請求項４９】
ワイヤレス通信のためのコードを記憶する非一時的コンピュータ可読記憶媒体であって、前記コードが、プロセッサによって、
送信のためのアップリンク制御情報(UCI)を特定し、
前記UCIのペイロードサイズに少なくとも一部基づいて、前記UCIの送信のためのアップリンクリソースのセットを決定し、
アップリンクリソースの前記セットを使用して前記UCIを送信する
ように実行可能な命令を備える、非一時的コンピュータ可読記憶媒体。
【請求項５０】
ワイヤレス通信のためのコードを記憶する非一時的コンピュータ可読記憶媒体であって、前記コードが、プロセッサによって、
ユーザ機器(UE)からアップリンク制御情報(UCI)の受信のためのリソースのセットを特定し、リソースの前記セットが前記UCIのペイロードサイズに少なくとも一部基づいて決定され、
リソースの前記セットを介して、前記UCIを前記UEから受信する
ように実行可能な命令を備える、非一時的コンピュータ可読記憶媒体。
【発明の詳細な説明】
【技術分野】
【０００１】
相互参照
本特許出願は、各々が本出願の譲受人に譲渡される、2017年3月24日に出願された「Uplink Control Channel Configuration For New Radio (NR) Wireless Communication System」という表題のWang他による米国仮特許出願第62/476,718号、および2018年3月22日に出願された「Uplink Control Channel Configuration for Wireless Communications」という表題のWang他による米国特許出願第15/933,099号の優先権を主張する。
【０００２】
以下は全般に、ワイヤレス通信に関し、より詳細には、ワイヤレス通信のためのアップリンク制御チャネル構成に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システム(たとえば、Long Term Evolution(LTE)システムまたはニューラジオ(NR)システム)がある。ワイヤレス多元接続通信システムは、ユーザ機器(UE)としても別様に知られていることがある複数の通信デバイスのための通信を各々が同時にサポートする、いくつかの基地局またはアクセスネットワークノードを含み得る。
【０００４】
一部のワイヤレス通信システム(たとえば、NRシステム)では、送信時間間隔(TTI)は、異なる時間長のアップリンク部分、ダウンリンク部分、または両方を有することがある。TTIがアップリンク中心であるかダウンリンク中心であるかは、TTIごとに異なることがある。したがって、アップリンク制御情報のための利用可能なリソースは、TTIごとに異なることがある。
【発明の概要】
【課題を解決するための手段】
【０００５】
ネットワークは、アップリンク中心送信時間間隔(TTI)内でのアップリンク制御チャネル送信のために、ユーザ機器(UE)またはUEのグループを、準静的または動的に構成し得る。準静的な構成では、UEは、より高次のレイヤのシグナリングを介して送信もしくは指示される値に基づいて、またはデフォルト値に基づいて、アップリンク制御チャネル送信を決定し得る。動的な構成では、UEは、物理レイヤメッセージの中の基地局によって使用される実際のリソースの指示を受信し得る。UEは、この指示に基づいて、アップリンク制御チャネル送信を使用して送信し得る。いくつかの場合、基地局は、どのUEが準静的に構成されるか、およびいずれが動的に構成されるかに基づいて、符号分割多重化(CDM)グループを割り振り得る。アップリンク制御の時間長は、利用可能なリソース(たとえば、アップリンクシンボル)、UE能力、ネットワーク特性などに依存し得る。
【０００６】
ワイヤレス通信の方法が説明される。方法は、アップリンク制御チャネル構成の指示を受信するステップと、ダウンリンク部分、第1のアップリンク部分、および第2のアップリンク部分を有するTTIの第1のアップリンク部分の間の送信のためのアップリンク制御情報(UCI)を特定するステップであって、第1のアップリンク部分が第2のアップリンク部分より長い時間長を有する、ステップと、アップリンク制御チャネル構成に従って、TTIの第1のアップリンク部分または第2のアップリンク部分の間にUCIを送信するステップとを含み得る。
【０００７】
ワイヤレス通信のための装置が説明される。装置は、アップリンク制御チャネル構成の指示を受信するための手段と、ダウンリンク部分、第1のアップリンク部分、および第2のアップリンク部分を有するTTIの第1のアップリンク部分の間の送信のためのUCIを特定するための手段であって、第1のアップリンク部分が第2のアップリンク部分より長い時間長を有する、手段と、アップリンク制御チャネル構成に従って、TTIの第1のアップリンク部分または第2のアップリンク部分の間にUCIを送信するための手段とを含み得る。
【０００８】
ワイヤレス通信のための別の装置が説明される。装置は、プロセッサと、プロセッサと電気的に通信しているメモリと、メモリに記憶される命令とを含み得る。命令は、プロセッサに、アップリンク制御チャネル構成の指示を受信させ、ダウンリンク部分、第1のアップリンク部分、および第2のアップリンク部分を有するTTIの第1のアップリンク部分の間の送信のためのUCIを特定させ、第1のアップリンク部分が第2のアップリンク部分より長い時間長を有し、アップリンク制御チャネル構成に従って、TTIの第1のアップリンク部分または第2のアップリンク部分の間にUCIを送信させるように動作可能であり得る。
【０００９】
ワイヤレス通信のための非一時的コンピュータ可読媒体が説明される。非一時的コンピュータ可読媒体は、プロセッサに、アップリンク制御チャネル構成の指示を受信させ、ダウンリンク部分、第1のアップリンク部分、および第2のアップリンク部分を有するTTIの第1のアップリンク部分の間の送信のためのUCIを特定させ、第1のアップリンク部分が第2のアップリンク部分より長い時間長を有し、アップリンク制御チャネル構成に従って、TTIの第1のアップリンク部分または第2のアップリンク部分の間にUCIを送信させるように動作可能な命令を含み得る。
【００１０】
上で説明された方法、装置、および非一時的コンピュータ可読媒体のいくつかの例はさらに、UE能力の指示を送信するためのプロセス、特徴、手段、または命令を含むことがあり、アップリンク制御チャネル構成の指示は、UE能力に少なくとも一部基づき得る。
【００１１】
上で説明された方法、装置、および非一時的コンピュータ可読媒体のいくつかの例はさらに、第1のアップリンク部分内でのUCIの送信のためのホッピングパターンを決定するためのプロセス、特徴、手段、または命令を含むことがあり、このホッピングパターンは、UCIのペイロードサイズに少なくとも一部基づいてホッピングパターンのセットから選択される。
【００１２】
上で説明された方法、装置、および非一時的コンピュータ可読媒体のいくつかの例はさらに、ホッピングパターンに対する復調基準信号(DMRS)のためのシンボルインデックスを決定するためのプロセス、特徴、手段、または命令を含むことがあり、シンボルインデックスは、ホッピングパターンのセットの各ホッピングパターンに対して同じ値を含む。
【００１３】
上で説明された方法、装置、および非一時的コンピュータ可読媒体のいくつかの例では、アップリンク制御チャネル構成を有するアップリンク制御チャネルの少なくとも一部分は、TTIのダウンリンク部分と第1のアップリンク部分との間のギャップ期間の少なくとも一部分と重複する。
【００１４】
上で説明された方法、装置、および非一時的コンピュータ可読媒体のいくつかの例では、アップリンク制御チャネル構成は、ギャップ期間の間にUEを多重化するための第1のコードと、TTIの第1のアップリンク部分の間にUEを多重化するための第2のコードとを含む。
【００１５】
上で説明された方法、装置、および非一時的コンピュータ可読媒体のいくつかの例では、UCIを送信することは、TTIの第1のアップリンク部分の間にUCIの第1の部分を、TTIの第2のアップリンク部分の間に第2の部分を送信することを含む。
【００１６】
上で説明された方法、装置、および非一時的コンピュータ可読媒体のいくつかの例では、指示を受信することは、物理レイヤメッセージを介して指示を受信することを含む。
【００１７】
上で説明された方法、装置、および非一時的コンピュータ可読媒体のいくつかの例では、物理レイヤメッセージは、物理制御フォーマットインジケータチャネル(PCFICH)または物理ダウンリンク制御チャネル(PDCCH)のうちの少なくとも1つを含む。
【００１８】
上で説明された方法、装置、および非一時的コンピュータ可読媒体のいくつかの例では、この指示は、アップリンク制御チャネル構成の直交周波数分割多重化(OFDM)シンボルの数、TTIの第1のアップリンク部分のOFDMシンボルの数、TTIの第2のアップリンク部分のOFDMシンボルの数、またはTTIのダウンリンク部分のOFDMシンボルの数、またはこれらの任意の組合せを示す。
【００１９】
上で説明された方法、装置、および非一時的コンピュータ可読媒体のいくつかの例では、物理レイヤメッセージはUE固有のPDCCHメッセージを含む。
【００２０】
上で説明された方法、装置、および非一時的コンピュータ可読媒体のいくつかの例では、物理レイヤメッセージは共通のPDCCHメッセージを含む。
【００２１】
上で説明された方法、装置、および非一時的コンピュータ可読媒体のいくつかの例では、アップリンク制御チャネル構成は、PDCCHによって占有されるTTIのダウンリンク部分のシンボルの数またはTTIの第2のアップリンク部分のシンボルの数、またはこれらの両方に少なくとも一部基づき得る。
【００２２】
上で説明された方法、装置、および非一時的コンピュータ可読媒体のいくつかの例では、この指示は、システム情報ブロック(SIB)または無線リソース制御(RRC)シグナリングを介して受信され得る。
【００２３】
ワイヤレス通信の方法が説明される。方法は、アップリンク制御チャネル構成の指示を送信するステップと、ダウンリンク部分、第1のアップリンク部分、および第2のアップリンク部分を有するTTIの第1のアップリンク部分の間にアップリンク制御チャネル構成に従ってUCIを受信するステップとを含むことがあり、第1のアップリンク部分は第2のアップリンク部分より長い時間長を有する。
【００２４】
ワイヤレス通信のための装置が説明される。装置は、アップリンク制御チャネル構成の指示を送信するための手段と、ダウンリンク部分、第1のアップリンク部分、および第2のアップリンク部分を有するTTIの第1のアップリンク部分の間にアップリンク制御チャネル構成に従ってUCIを受信するための手段とを含むことがあり、第1のアップリンク部分は第2のアップリンク部分より長い時間長を有する。
【００２５】
ワイヤレス通信のための別の装置が説明される。装置は、プロセッサと、プロセッサと電気的に通信しているメモリと、メモリに記憶される命令とを含み得る。命令は、プロセッサに、アップリンク制御チャネル構成の指示を送信させ、ダウンリンク部分、第1のアップリンク部分、および第2のアップリンク部分を有するTTIの第1のアップリンク部分の間にアップリンク制御チャネル構成に従ってUCIを受信させるように動作可能であることがあり、第1のアップリンク部分は第2のアップリンク部分より長い時間長を有する。
【００２６】
ワイヤレス通信のための非一時的コンピュータ可読媒体が説明される。非一時的コンピュータ可読媒体は、プロセッサに、アップリンク制御チャネル構成の指示を送信させ、ダウンリンク部分、第1のアップリンク部分、および第2のアップリンク部分を有するTTIの第1のアップリンク部分の間にアップリンク制御チャネル構成に従ってUCIを受信させるように動作可能な命令を含むことがあり、第1のアップリンク部分は第2のアップリンク部分より長い時間長を有する。
【００２７】
上で説明された方法、装置、および非一時的コンピュータ可読媒体のいくつかの例はさらに、UE能力の指示を受信するためのプロセス、特徴、手段、または命令を含むことがあり、アップリンク制御チャネル構成の指示は、UE能力に少なくとも一部基づき得る。
【００２８】
上で説明された方法、装置、および非一時的コンピュータ可読媒体のいくつかの例はさらに、第1のアップリンク部分内でのUCIの送信のためのホッピングパターンを決定するためのプロセス、特徴、手段、または命令を含むことがあり、このホッピングパターンは、UCIのペイロードサイズに少なくとも一部基づいてホッピングパターンのセットから選択される。
【００２９】
上で説明された方法、装置、および非一時的コンピュータ可読媒体のいくつかの例はさらに、ホッピングパターンに対するDMRSのためのシンボルインデックスを決定するためのプロセス、特徴、手段、または命令を含むことがあり、シンボルインデックスは、ホッピングパターンのセットの各ホッピングパターンに対して同じ値を含み得る。
【００３０】
上で説明された方法、装置、および非一時的コンピュータ可読媒体のいくつかの例では、アップリンク制御チャネル構成を有するアップリンク制御チャネルの少なくとも一部分は、TTIのダウンリンク部分と第1のアップリンク部分との間のギャップ期間の少なくとも一部分と重複する。
【００３１】
上で説明された方法、装置、および非一時的コンピュータ可読媒体のいくつかの例では、アップリンク制御チャネル構成は、ギャップ期間の間にUEを多重化するための第1のコードと、TTIの第1のアップリンク部分の間にUEを多重化するための第2のコードとを含む。
【００３２】
上で説明された方法、装置、および非一時的コンピュータ可読媒体のいくつかの例では、UCIを受信することは、少なくとも、TTIの第1のアップリンク部分の間にUCIの第1の部分を、TTIの第2のアップリンク部分の間に第2の部分を受信することを含む。
【００３３】
上で説明された方法、装置、および非一時的コンピュータ可読媒体のいくつかの例では、指示を送信することは、物理レイヤメッセージを介して指示を送信することを含む。
【００３４】
上で説明された方法、装置、および非一時的コンピュータ可読媒体のいくつかの例では、物理レイヤメッセージはPCFICHまたはPDCCHのうちの少なくとも1つを含む。
【００３５】
上で説明された方法、装置、および非一時的コンピュータ可読媒体のいくつかの例では、この指示は、アップリンク制御チャネル構成のOFDMシンボルの数、TTIの第1のアップリンク部分のOFDMシンボルの数、TTIの第2のアップリンク部分のOFDMシンボルの数、またはTTIのダウンリンク部分のOFDMシンボルの数、またはこれらの任意の組合せを示す。
【００３６】
上で説明された方法、装置、および非一時的コンピュータ可読媒体のいくつかの例では、物理レイヤメッセージはUE固有のPDCCHメッセージを含む。
【００３７】
上で説明された方法、装置、および非一時的コンピュータ可読媒体のいくつかの例では、アップリンク制御チャネル構成は、PDCCHによって占有されるTTIのダウンリンク部分のシンボルの数またはTTIの第2のアップリンク部分のシンボルの数、またはこれらの両方に少なくとも一部基づき得る。
【００３８】
上で説明された方法、装置、および非一時的コンピュータ可読媒体のいくつかの例では、この指示は、SIBまたはRRCシグナリングを介して送信され得る。
【００３９】
ワイヤレス通信の方法が説明される。方法は、送信のためのUCIを特定するステップと、UCIのペイロードサイズに少なくとも一部基づいてUCIの送信のためのアップリンクリソースのセットを決定するステップと、アップリンクリソースのセットを使用してUCIを送信するステップとを含み得る。
【００４０】
ワイヤレス通信のための装置が説明される。装置は、送信のためのUCIを特定するための手段と、UCIのペイロードサイズに少なくとも一部基づいてUCIの送信のためのアップリンクリソースのセットを決定するための手段と、アップリンクリソースのセットを使用してUCIを送信するための手段とを含み得る。
【００４１】
ワイヤレス通信のための別の装置が説明される。装置は、プロセッサと、プロセッサと電気的に通信しているメモリと、メモリに記憶される命令とを含み得る。命令は、プロセッサに、送信のためのUCIを特定させ、UCIのペイロードサイズに少なくとも一部基づいてUCIの送信のためのアップリンクリソースのセットを決定させ、アップリンクリソースのセットを使用してUCIを送信させるように動作可能であり得る。
【００４２】
ワイヤレス通信のための非一時的コンピュータ可読媒体が説明される。非一時的コンピュータ可読媒体は、プロセッサに、送信のためのUCIを特定させ、UCIのペイロードサイズに少なくとも一部基づいてUCIの送信のためのアップリンクリソースのセットを決定させ、アップリンクリソースのセットを使用してUCIを送信させるように動作可能な命令を含み得る。
【００４３】
上で説明された方法、装置、および非一時的コンピュータ可読媒体のいくつかの例では、アップリンクリソースのセットは、物理アップリンク制御チャネル(PUCCH)リソースのセットおよび物理アップリンク共有チャネル(PUSCH)リソースのセットのうちの少なくとも1つを含む。
【００４４】
上で説明された方法、装置、および非一時的コンピュータ可読媒体のいくつかの例では、アップリンクリソースのセットは、複数のチャネル構造もしくは複数のコーディング方式、またはこれらの両方を含む。
【００４５】
上で説明された方法、装置、および非一時的コンピュータ可読媒体のいくつかの例はさらに、複数のポーラ符号を使用してUCIをセグメント化するためのプロセス、特徴、手段、または命令を含むことがあり、UCIを送信することはこのセグメント化することに少なくとも一部基づき得る。
【００４６】
上で説明された方法、装置、および非一時的コンピュータ可読媒体のいくつかの例はさらに、UCIのペイロードサイズを1つまたは複数のペイロード閾値と比較するためのプロセス、特徴、手段、または命令を含むことがあり、アップリンクリソースのセットは、この比較することに少なくとも一部基づいて決定され得る。
【００４７】
上で説明された方法、装置、および非一時的コンピュータ可読媒体のいくつかの例では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長いことがある第4の時間長を有するアップリンク共有チャネルを含む。
【００４８】
上で説明された方法、装置、および非一時的コンピュータ可読媒体のいくつかの例では、ペイロードサイズを比較することは、ペイロードサイズが第1のペイロード閾値および第2のペイロード閾値によって定められる範囲内にあり得ることを決定することを含む。
【００４９】
ワイヤレス通信の方法が説明される。方法は、UEからのUCIの受信のためのリソースのセットを特定するステップであって、リソースのセットがUCIのペイロードサイズに少なくとも一部基づいて決定される、ステップと、リソースのセットを通じてUEからUCIを受信するステップとを含み得る。
【００５０】
ワイヤレス通信のための装置が説明される。装置は、UEからのUCIの受信のためのリソースのセットを特定するための手段であって、リソースのセットがUCIのペイロードサイズに少なくとも一部基づいて決定される、手段と、リソースのセットを通じてUEからUCIを受信するための手段とを含み得る。
【００５１】
ワイヤレス通信のための別の装置が説明される。装置は、プロセッサと、プロセッサと電気的に通信しているメモリと、メモリに記憶される命令とを含み得る。命令は、プロセッサに、UEからのUCIの受信のためのリソースのセットを特定させ、リソースのセットがUCIのペイロードサイズに少なくとも一部基づいて決定され、リソースのセットを通じてUEからUCIを受信させるように動作可能であり得る。
【００５２】
ワイヤレス通信のための非一時的コンピュータ可読媒体が説明される。非一時的コンピュータ可読媒体は、プロセッサに、UEからのUCIの受信のためのリソースのセットを特定させ、リソースのセットがUCIのペイロードサイズに少なくとも一部基づいて決定され、リソースのセットを通じてUEからUCIを受信させるように動作可能な命令を含み得る。
【００５３】
上で説明された方法、装置、および非一時的コンピュータ可読媒体のいくつかの例では、リソースのセットは、PUCCHリソースのセットおよびPUSCHリソースのセットのうちの少なくとも1つを含む。
【００５４】
上で説明された方法、装置、および非一時的コンピュータ可読媒体のいくつかの例では、リソースのセットは、複数のチャネル構造もしくは複数のコーディング方式、またはこれらの両方を含む。
【００５５】
上で説明された方法、装置、および非一時的コンピュータ可読媒体のいくつかの例では、UCIを受信することは、複数のポーラ符号を使用してUCIの複数のセグメントを受信することを含む。
【００５６】
上で説明された方法、装置、および非一時的コンピュータ可読媒体のいくつかの例では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長いことがある第4の時間長を有するアップリンク共有チャネルを含む。
【図面の簡単な説明】
【００５７】
【図１】本開示の態様による、ワイヤレス通信のためのアップリンク制御チャネル構成をサポートするワイヤレス通信のためのシステムの例を示す図である。
【図２】本開示の態様による、ワイヤレス通信のためのアップリンク制御チャネル構成をサポートするワイヤレス通信システムの例を示す図である。
【図３】本開示の態様による、ワイヤレス通信のためのアップリンク制御チャネル構成をサポートする送信時間間隔(TTI)構成の例を示す図である。
【図４】本開示の態様による、ワイヤレス通信のためのアップリンク制御チャネル構成をサポートする物理アップリンク制御チャネル(PUCCH)構成の例を示す図である。
【図５】本開示の態様による、ワイヤレス通信のためのアップリンク制御チャネル構成をサポートするプロセスフローの例を示す図である。
【図６】本開示の態様による、ワイヤレス通信のためのアップリンク制御チャネル構成をサポートするプロセスフローの例を示す図である。
【図７】本開示の態様による、ワイヤレス通信のためのアップリンク制御チャネル構成をサポートするデバイスのブロック図である。
【図８】本開示の態様による、ワイヤレス通信のためのアップリンク制御チャネル構成をサポートするデバイスのブロック図である。
【図９】本開示の態様による、ワイヤレス通信のためのアップリンク制御チャネル構成をサポートするデバイスのブロック図である。
【図１０】本開示の態様による、ワイヤレス通信のためのアップリンク制御チャネル構成をサポートするユーザ機器(UE)を含むシステムのブロック図である。
【図１１】本開示の態様による、ワイヤレス通信のためのアップリンク制御チャネル構成をサポートするデバイスのブロック図である。
【図１２】本開示の態様による、ワイヤレス通信のためのアップリンク制御チャネル構成をサポートするデバイスのブロック図である。
【図１３】本開示の態様による、ワイヤレス通信のためのアップリンク制御チャネル構成をサポートするデバイスのブロック図である。
【図１４】本開示の態様による、ワイヤレス通信のためのアップリンク制御チャネル構成をサポートする基地局を含むシステムのブロック図である。
【図１５】本開示の態様による、ワイヤレス通信のためのアップリンク制御チャネル構成の方法を示す図である。
【図１６】本開示の態様による、ワイヤレス通信のためのアップリンク制御チャネル構成の方法を示す図である。
【図１７】本開示の態様による、ワイヤレス通信のためのアップリンク制御チャネル構成の方法を示す図である。
【図１８】本開示の態様による、ワイヤレス通信のためのアップリンク制御チャネル構成の方法を示す図である。
【図１９】本開示の態様による、ワイヤレス通信のためのアップリンク制御チャネル構成の方法を示す図である。
【図２０】本開示の態様による、ワイヤレス通信のためのアップリンク制御チャネル構成の方法を示す図である。
【発明を実施するための形態】
【００５８】
ネットワークは、アップリンク中心送信時間間隔(TTI)内でのアップリンク制御チャネル送信のために、ユーザ機器(UE)またはUEのグループを、準静的または動的に構成し得る。UEは、様々な例において、ブロードキャスト情報、より高次のレイヤの専用シグナリング、または物理レイヤメッセージ(たとえば、ダウンリンク制御情報(DCI)における)を伴う、アップリンク制御チャネル構成の指示を受信し得る。
【００５９】
例として、一部のワイヤレスシステム(たとえば、ニューラジオ(NR)システム)では、基地局は、アップリンク中心TTIまたはアップリンク中心スロットとも呼ばれ得るアップリンク送信TTIの中で、固定長または可変長のアップリンクロングバースト領域を実装し得る。加えて、TTI内のダウンリンク制御領域(たとえば、物理ダウンリンク制御チャネル(PDCCH)領域)およびアップリンクショートバースト(ULSB)領域の長さは、可変長のアップリンクロングバースト領域をもたらし得る。UEが可変長のアップリンクロングバースト領域において長いアップリンク制御送信(たとえば、長い物理アップリンク制御チャネル(PUCCH)送信)を効率的に送信できるように、基地局はアップリンク制御構成情報をUEまたはUEのグループに送信し得る。
【００６０】
基地局は、PUCCH送信のためにUEを準静的または動的に構成し得る。たとえば、基地局は、システム情報ブロック(SIB)または無線リソース制御(RRC)シグナリングにおいて、PUCCH送信のためのデフォルトの開始値および終了値を送信し得る。準静的な構成は、アップリンクロングバースト領域内のPUCCH送信をスケジューリングすることがあり、以下で論じられるように、PDCCH領域またはULSB領域へと延びることも延びないこともある。
【００６１】
動的な構成では、基地局は、PDCCH領域において使用されULSB領域においてUEに割り振られる実際のリソースの指示を送信し得る。たとえば、基地局は、物理制御フォーマットインジケータチャネル(PCFICH)またはPDCCHにおいてこの指示を送信し得る。UE能力に応じて、UEは、この指示を復号することができ、この指示に基づいてPUCCH送信を動的に構成することができる。動的に構成されるUEは、アップリンクTTIのリソースをより効率的に使用することができる。
【００６２】
いくつかの場合、UEは、PUCCH送信のために割り振られるリソースよりも多くの、送信すべきアップリンク制御情報(UCI)を有することがある。この場合、UEは、UCIのペイロードサイズに基づいて、UCIをどのように送信するかを決定し得る。たとえば、UEは、UCIのペイロードサイズに基づいて、短いPUCCH、長いPUCCH、短い物理アップリンク共有チャネル(PUSCH)、または長いPUSCHにおいて、UCIを送信し得る。他の場合には、UEは、複数のPUCCH送信にわたってUCIを送信することがあり、またはUCIのための符号化プロセスを修正することがある。
【００６３】
本開示の態様は最初に、ワイヤレス通信システムの文脈で説明される。本開示のさらなる態様が、TTIおよびPUCCH構成を参照して説明される。本開示の態様はまた、ワイヤレス通信のためのアップリンク制御チャネル構成に関するプロセスフロー、装置図、システム図、およびフローチャートによって示され、かつそれらを参照して説明される。
【００６４】
図1は、本開示の様々な態様による、ワイヤレス通信のためのアップリンク制御チャネル構成をサポートするワイヤレス通信システム100の例を示す。ワイヤレス通信システム100は、基地局105、UE115、およびコアネットワーク130を含む。いくつかの例では、ワイヤレス通信システム100は、Long Term Evolution(LTE)、LTE-Advanced(LTE-A)ネットワーク、またはNRネットワークであり得る。いくつかの場合、ワイヤレス通信システム100は、改良されたブロードバンド通信、超高信頼性(すなわち、ミッションクリティカル)通信、低レイテンシ通信、および低コストで低複雑度のデバイスとの通信をサポートし得る。ワイヤレス通信システム100(たとえば、NRシステム)は、PUCCHロングバースト設計を実装し得る。基地局105は、スロットまたはTTIの一部分の中でPUCCHメッセージを送信するように1つまたは複数のUE115を準静的または動的に構成することができ、このスロットまたはTTIは、長いアップリンクバースト部分に続いて短いアップリンクバースト部分を有し得る。いくつかの場合、基地局105は、UE能力、使用される実際のリソース、またはこれらの組合せに基づいてPUCCHを延長するようにUE115を構成し得る。
【００６５】
基地局105は、1つまたは複数の基地局アンテナを介してUE115とワイヤレスに通信し得る。各基地局105は、それぞれの地理的カバレッジエリア110のための通信カバレッジを提供し得る。ワイヤレス通信システム100に示される通信リンク125は、UE115から基地局105へのアップリンク送信、または基地局105からUE115へのダウンリンク送信を含み得る。制御情報およびデータは、様々な技法に従って、アップリンクチャネルまたはダウンリンク上で多重化され得る。制御情報およびデータは、たとえば、時分割多重化(TDM)技法、周波数分割多重化(FDM)技法、またはハイブリッドTDM-FDM技法を使用して、ダウンリンクチャネル上で多重化され得る。いくつかの例では、ダウンリンクチャネルのTTIの間に送信される制御情報は、カスケード方式で異なる制御領域に(たとえば、共通の制御領域と1つまたは複数のUE固有の制御領域とに)分散され得る。
【００６６】
UE115はワイヤレス通信システム100全体に散在することがあり、各UE115は静止式または移動式であることがある。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の適切な用語としても呼ばれることがある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人用電子デバイス、ハンドヘルドデバイス、パーソナルコンピュータ、ワイヤレスローカルループ(WLL)局、Internet of Things(IoT)デバイス、Internet of Everything(IoE)デバイス、マシンタイプ通信(MTC)デバイス、家電機器、自動車などであり得る。
【００６７】
いくつかの場合、UE115はまた、他のUEと(たとえば、ピアツーピア(P2P)またはデバイスツーデバイス(D2D)プロトコルを使用して)直接通信することが可能であり得る。D2D通信を利用するUE115のグループの1つまたは複数は、セルのカバレッジエリア110内にあり得る。そのようなグループの中の他のUE115は、セルのカバレッジエリア110の外側にあることがあり、または基地局105から送信を受信することが別様に不可能であることがある。いくつかの場合、D2D通信を介して通信するUE115のグループは、各UE115がグループの中のあらゆる他のUE115に送信する、1対多(1:M)システムを利用し得る。いくつかの場合、基地局105は、D2D通信のためのリソースのスケジューリングを支援する。他の場合、D2D通信は、基地局105とは独立に行われる。
【００６８】
基地局105は、コアネットワーク130と、かつ互いに通信し得る。たとえば、基地局105は、バックホールリンク132(たとえば、S1)を通じてコアネットワーク130とインターフェースし得る。基地局105は、バックホールリンク134(たとえば、X2)を介して、直接または間接的に(たとえば、コアネットワーク130を通じて)のいずれかで、互いに通信し得る。基地局105は、UE115との通信のために無線構成およびスケジューリングを実行することができ、または基地局コントローラ(図示せず)の制御下で動作することができる。いくつかの例では、基地局105は、マクロセル、スモールセル、ホットスポットなどであり得る。基地局105は、evolved NodeB(eNB)または次世代NodeB(gNB)とも呼ばれ得る。
【００６９】
基地局105は、S1インターフェースによってコアネットワーク130に接続され得る。コアネットワークはevolved packet core(EPC)であることがあり、EPCは、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含むことがある。MMEは、UE115とEPCとの間のシグナリングを処理する制御ノードであり得る。すべてのユーザインターネットプロトコル(IP)パケットはS-GWを通じて転送されることがあり、S-GW自体がP-GWに接続されることがある。P-GWは、IPアドレスの割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換(PS)ストリーミングサービスを含み得る。
【００７０】
コアネットワーク130は、ユーザ認証、アクセス承認、追跡、IP接続、および他のアクセス機能、ルーティング機能、またはモビリティ機能を提供し得る。ネットワークデバイスの少なくともいくつかは、アクセスノードコントローラ(ANC)の例であり得る、アクセスネットワークエンティティなどの副構成要素を含み得る。各アクセスネットワークエンティティは、その各々がスマートラジオヘッドまたは送受信ポイント(TRP)の例であり得る、いくつかの他のアクセスネットワーク送信エンティティを通じていくつかのUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散していることがあり、または単一のネットワークデバイス(たとえば、基地局105)へと統合されることがある。コアネットワーク130または基地局105内のエンティティは、アップリンクリソースのためのホッピングパターンを決定し得る。
【００７１】
ワイヤレス通信システム100は、700MHzから2600MHz(2.6GHz)の周波数帯域を使用する超高周波数(UHF)周波数領域において動作し得るが、一部のネットワーク(たとえば、ワイヤレスローカルエリアネットワーク(WLAN))は4GHzもの高い周波数を使用し得る。UHF波の送信は、スペクトルの高周波(HF)部分または超高周波(VHF)部分のより低い周波数(およびより長い波)を使用する送信と比較して、より小さいアンテナおよびより短い距離(たとえば、100km未満)によって特徴付けられる。いくつかの場合、ワイヤレス通信システム100はまた、スペクトルの極高周波(EHF)部分(たとえば、30GHzから300GHz)を利用し得る。この領域はミリメートル波帯域としても知られていることがあり、それは、波長が約1ミリメートルから1センチメートルの長さにわたるからである。したがって、EHFアンテナは、UHFアンテナよりもさらに小さく、間隔が狭いことがある。いくつかの場合、このことが、(たとえば、指向性ビームフォーミングのための)UE115内でのアンテナアレイの使用を容易にし得る。
【００７２】
したがって、ワイヤレス通信システム100は、UE115と基地局105との間のミリメートル波(mmW)通信をサポートし得る。mmW帯域またはEHF帯域において動作するデバイスは、ビームフォーミングを可能にするために複数のアンテナを有し得る。すなわち、基地局105は、UE115との指向性の通信のためのビームフォーミング動作を行うために、複数のアンテナまたはアンテナアレイを使用し得る。ビームフォーミング(空間フィルタリングまたは指向性送信とも呼ばれ得る)は、ターゲット受信機(たとえば、UE115)の方向に全体のアンテナビームを成型および/または誘導するために送信機(たとえば、基地局105)において使用され得る信号処理技法である。これは、特定の角度の送信される信号が強め合う干渉を受ける一方で、他の信号が弱め合う干渉を受けるような方法で、アンテナアレイにおいて成分を合成することによって達成され得る。
【００７３】
多入力多出力(MIMO)ワイヤレスシステムは、送信機(たとえば、基地局105)と受信機(たとえば、UE115)との間である送信方式を使用し、両方の送信機および受信機が複数のアンテナを備える。ワイヤレス通信システム100のいくつかの部分は、ビームフォーミングを使用し得る。たとえば、基地局105は、基地局105がUE115との通信においてビームフォーミングのために使用し得る、アンテナポートのいくつかの行および列を伴うアンテナアレイを有し得る。信号は、異なる方向に複数回送信され得る(たとえば、各送信が異なるようにビームフォーミングされ得る)。mmW受信機(たとえば、UE115)は、同期信号を受信しながら、複数のビーム(たとえば、アンテナサブアレイ)を試みることができる。
【００７４】
いくつかの場合、基地局105またはUE115のアンテナは、ビームフォーミングまたはMIMO動作をサポートし得る、1つまたは複数のアンテナアレイ内に配置され得る。1つまたは複数の基地局アンテナまたはアンテナアレイは、アンテナタワーなどのアンテナ組立体において併置され得る。いくつかの場合、基地局105と関連付けられるアンテナまたはアンテナアレイは、多様な地理的位置に配置され得る。基地局105は、UE115との指向性の通信のためのビームフォーミング動作を行うために、複数のアンテナまたはアンテナアレイを使用し得る。
【００７５】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメンテーションおよび再組立を実行し得る。媒体アクセス制御(MAC)レイヤは、優先度の処理およびトランスポートチャネルへの論理チャネルの多重化を実行し得る。MACレイヤはまた、MACレイヤにおいて再送信を行いリンク効率を改善するために、ハイブリッド自動再送要求(HARQ)を使用し得る。制御プレーンでは、RRCプロトコルレイヤは、UE115と、ユーザプレーンデータのための無線ベアラをサポートする基地局105またはコアネットワーク130との間のRRC接続の、確立、構成、および維持を行い得る。物理レイヤにおいて、トランスポートチャネルは物理チャネルにマッピングされ得る。
【００７６】
LTEまたはNRにおける時間間隔は、基本時間単位(これはTs=1/30,720,000秒というサンプリング期間であり得る)の倍数で表され得る。時間リソースは、10msの長さ(Tf=307200Ts)の無線フレームに従って編成されることがあり、これは、0から1023にわたるシステムフレーム番号(SFN)によって識別されることがある。各フレームは、0から9の番号を振られた10個の1msサブフレームを含み得る。サブフレームはさらに2つの0.5msスロットへと分割されることがあり、これらの各々が(各シンボルの先頭に付加される巡回プレフィックスの長さに応じて)6個または7個の変調シンボル期間を含む。巡回プレフィックスを除き、各シンボルは2048個のシンボル期間を含む。いくつかの場合、サブフレームは、TTIとしても知られている最小のスケジューリング単位であり得る。他の場合、TTIは、サブフレームより短いことがあり、または(たとえば、短いTTIバーストにおいて、または短いTTIを使用する選択されたコンポーネントキャリアにおいて)動的に選択されることがある。本明細書で説明されるように、TTIはダウンリンク中心またはアップリンク中心であり得る。
【００７７】
リソース要素は、1つのシンボル期間および1つのサブキャリア(たとえば15kHzの周波数範囲)からなり得る。リソースブロックは、周波数領域において12個の連続するサブキャリアを含み、各OFDMシンボルの中の普通の巡回プレフィックスに対して、時間領域(1スロット)において7個の連続するOFDMシンボルを含み、すなわち84個のリソース要素を含み得る。各リソース要素によって搬送されるビットの数は、変調方式(各シンボル期間の間に選択され得るシンボルの構成)に依存し得る。したがって、UEが受信するリソースブロックが多く、変調方式が高いほど、データレートが高くなり得る。
【００７８】
ワイヤレス通信システム100は、複数のセルまたはキャリア上での動作をサポートすることができ、これはキャリアアグリゲーション(CA)またはマルチキャリア動作と呼ばれ得る特徴である。キャリアは、コンポーネントキャリア(CC)、レイヤ、チャネルなどとも呼ばれ得る。「キャリア」、「コンポーネントキャリア」、「セル」、および「チャネル」という用語は、本明細書では交換可能に使用され得る。UE115は、CAのために複数のダウンリンクCCおよび1つまたは複数のアップリンクCCを用いて構成され得る。CAは、周波数分割複信(FDD)コンポーネントキャリアと時分割複信(TDD)コンポーネントキャリアの両方とともに使用され得る。
【００７９】
いくつかの場合、ワイヤレス通信システム100は、enhanced CC(eCC)を利用し得る。eCCは、より広い帯域幅、より短いシンボル時間長、より短いTTI、または修正された制御チャネル構成を含む、1つまたは複数の特徴によって特徴付けられ得る。いくつかの場合、eCCは、キャリアアグリゲーション構成または二重接続構成(たとえば、複数のサービングセルが準最適なまたは理想的ではないバックホールリンクを有するとき)と関連付けられ得る。eCCはまた、免許不要スペクトルまたは(2つ以上の事業者がスペクトルを使用することを許容される)共有スペクトルにおける使用のために構成され得る。広い帯域幅によって特徴付けられるeCCは、帯域幅全体を監視することが可能ではなく(たとえば、電力を節約するために)限られた帯域幅を使用することを好むUE115によって利用され得る、1つまたは複数のセグメントを含み得る。
【００８０】
共有無線周波数スペクトル帯域は、NR共有スペクトルシステムにおいて利用され得る。たとえば、NR共有スペクトルは、とりわけ、免許スペクトル、共有スペクトル、および免許不要スペクトルの任意の組合せを利用し得る。eCCシンボル時間長およびサブキャリア間隔の柔軟性は、複数のスペクトルにわたるeCCの使用を許容し得る。いくつかの例では、NR共有スペクトルは、特にリソースの動的な垂直方向の(たとえば、周波数にわたる)共有および水平方向の(たとえば、時間にわたる)共有を通じて、スペクトル利用率およびスペクトル効率を高め得る。
【００８１】
本明細書で説明されるように、ワイヤレス通信システム100は、アップリンク制御チャネルを準静的または動的に構成するように構成され得る。アップリンク制御チャネルの時間長は、たとえば、UE115の能力、TTI(たとえば、スロット)の1つまたは複数の部分の時間長、リンク条件、システム特性などに依存し得る。
【００８２】
図2は、本開示の様々な態様による、ワイヤレス通信のためのアップリンク制御チャネル構成をサポートするワイヤレス通信システム200の例を示す。ワイヤレス通信システム200は、図1を参照して説明されたようなUE115および基地局105の例であり得る、UE115-aおよび基地局105-aを含み得る。基地局105-aは、図1を参照して説明されたようなカバレッジエリア110の例であり得る、地理的カバレッジエリア110-aのための通信カバレッジを提供し得る。UE115-aおよび基地局105-aは、通信リンク205を介して通信し得る。いくつかの場合、UE115-aは、PUCCHロングバースト送信を使用してUCIを基地局105-aに送信し得る。
【００８３】
通信リンク205は、スロットまたはサブフレームの例であり得る、ダウンリンク中心TTI210およびアップリンク中心TTI215を用いて構成されるキャリアを介したものであり得る。ダウンリンクTTIとも呼ばれ得るダウンリンク中心TTI210は、第1のダウンリンク部分211、第2のダウンリンク部分212、アップリンク部分213、および第2のダウンリンク部分212とアップリンク部分213との間のギャップ期間を含み得る。第1のダウンリンク部分211は制御情報を含み得るが、第2のダウンリンク部分212はデータのために構成され得る。
【００８４】
アップリンクTTIとも呼ばれ得るアップリンク中心TTI215は、ダウンリンク部分216、第1のアップリンク部分217、第2のアップリンク部分218(これは第1のアップリンク部分217より短い時間長を有し得る)、およびダウンリンク部分216と第1のアップリンク部分217との間のギャップ期間を含み得る。第1のアップリンク部分217はアップリンクロングバースト時間長と呼ばれることがあり、第2のアップリンク部分218はULSB時間長と呼ばれることがある。アップリンク中心TTI215は、ダウンリンク部分216の中のダウンリンク制御チャネル240、第1のアップリンク部分217の中のアップリンク制御チャネル260、または第2のアップリンク部分218の中の別のアップリンク制御チャネル245を含むことがあり、または、それはそのような制御チャネルの任意の組合せを含むことがある。第1のアップリンク部分217は、制御送信、データ送信、または両方のために構成され得る。
【００８５】
いくつかの場合(たとえば、LTEシステムにおいて)、UE115-aなどのUE115は、PUCCH送信を(たとえば、第1のアップリンク部分217の間に)送信し得る。基地局105-aはPUCCHフォーマットを構成することがあり、またはUE115-aはPUCCHフォーマットのセット(たとえば、PUCCHフォーマット1、1a、1b、2、2a、2b、3、4、5、または任意の他の可能なPUCCHフォーマットを含む)から送信のためのPUCCHフォーマットを選択し得る。いくつかの場合、UE115-aは、PUCCH送信のペイロードサイズに基づいてPUCCHフォーマットを選択することができ、送信を受信する基地局105-aは、ペイロードサイズに基づいてPUCCHフォーマットを決定することができる。
【００８６】
いくつかの例では(たとえば、NRシステムにおいて)、UE115-aまたは基地局105-aは、TDDに基づいて、各ダウンリンク中心TTI210および/またはアップリンク中心TTI215(たとえば、スロット)内のアップリンク送信とダウンリンク送信の両方をスケジューリングし得る。たとえば、各アップリンク中心TTI215は(たとえば、アップリンクロングバースト領域の中の)アップリンク送信のためのシンボルの大半を確保することができ、各ダウンリンク中心TTI210は(たとえば、物理ダウンリンク共有チャネル(PDSCH)領域の中の)ダウンリンク送信のためのシンボルの大半を確保することができる。しかしながら、アップリンク中心TTI215とダウンリンク中心TTI210の両方が、アップリンク情報のために確保された部分的なTTI(たとえば、1つまたは複数のシンボル)およびダウンリンク情報のために確保された部分的なTTIを含むことがある。たとえば、論じられるように、アップリンク中心TTI215とダウンリンク中心TTI210の両方が、ダウンリンク送信のためのPDCCH領域およびアップリンク送信のためのULSB領域を含み得る。いくつかの場合、PDCCH領域はTTIの初期の領域であることがあり、ULSB領域はダウンリンク中心TTI210またはアップリンク中心TTI215の最後の領域であることがある。PDCCH領域において、基地局105-aは、PDCCHを介してDCIを1つまたは複数のUE115に送信し得る。ULSB領域において、UE115-aなどのUE115は、UCIまたは少量の(たとえば、数ビットの)追加のアップリンクデータを基地局105-aに送信し得る。ダウンリンク中心TTI210またはアップリンク中心TTI215はギャップも含むことがあり、このギャップは、ダウンリンク中心TTI210またはアップリンク中心TTI215内でアップリンク送信とダウンリンク送信の切替えのためのバッファとして使用され得る。
【００８７】
いくつかの場合、基地局105-aまたはUE115-aは、連続的なアップリンク中心TTI215またはダウンリンク中心TTI210を一緒に集約することができる。たとえば、TTIがスロットの例である場合、基地局105-aまたはUE115-aは、複数のスロットを送信のために一緒に集約することができる。これらの場合、基地局105-aまたはUE115-aは、PDCCH領域またはULSB領域の発生の数を減らすことができる。たとえば、ダウンリンク中心TTI210の集約のために、基地局105-aは、各ダウンリンク中心TTI210に対して1つのULSB領域ではなく、集約ダウンリンク送信全体に対して1つのULSB領域を含み得る。集約ダウンリンク送信は、複数のPDCCH領域およびPDSCH領域と、それらに続く単一のギャップおよびULSB領域とを含み得る。いくつかの場合、集約ダウンリンク送信は1つだけのPDCCH領域も含むことがあり、PDSCH領域の延長としてPDCCH領域のために普通に確保される他のシンボルを利用することがある。同様に、アップリンク中心TTI215の集約は、各アップリンク中心TTI215に対して1つのPDCCH領域ではなく、集約アップリンク送信全体に対して1つのPDCCH領域を含み得る。集約アップリンク送信は、単一のPDCCH領域およびギャップ、ならびに複数のアップリンクロングバースト領域およびULSB領域を含み得る。いくつかの場合、集約アップリンク送信は1つだけのULSB領域も含むことがあり、アップリンクロングバースト領域の延長としてULSB領域のために普通に確保される他のシンボルを利用することがある。PDCCH領域またはULSB領域の発生の数を減らすことによって、基地局105-aまたはUE115-aは、送信におけるギャップの数を減らすことができ、送信と関連付けられるオーバーヘッドを少なくする。
【００８８】
異なる基地局105は、アップリンク中心TTI215において異なるアップリンクロングバースト時間長をスケジューリングし得るので、それに従ってアップリンク制御チャネル260を構成し得る。アップリンクロングバースト時間長は、PDCCH領域の時間長に基づき得る。基地局105-aは、PDCCH領域のためにデフォルトの時間長の値(たとえば、2シンボル)を設定し得る。いくつかの場合、PDCCH送信のために使用される実際の領域は、送信すべきDCIに基づいて動的に変化し得る。たとえば、基地局105-aは、最高で設定されたデフォルトの時間長の値までの任意の時間長の領域を利用し得る(たとえば、基地局105-aは、2シンボルのデフォルトの時間長のうちの1シンボルを使用し得る)。基地局105-aは、PCFICHにおけるPDCCH送信のために使用される実際の領域を示し得る。いくつかの場合、UE115-aは、PCFICHにおいて制御フォーマットインジケータ(CFI)を復号し、PDCCHのために使用される実際の領域を決定することがあるが、他の場合には、UE115-aはPCFICHを復号しないことがある。
【００８９】
アップリンクロングバースト時間長、およびしたがってアップリンク制御チャネル260は加えて、ULSB領域の時間長に基づき得る。たとえば、基地局105-aは、ULSB領域のためにデフォルトの時間長の値(たとえば、1または2シンボル)を設定し得る。アップリンクロングバースト時間長は、集約されたアップリンク中心TTI215の数にも基づき得る。たとえば、PDCCH領域またはULSB領域の発生の数を減らすことで、基地局105-aは、アップリンク中心TTI215にわたってアップリンクロングバースト領域を合成することが可能になり得る。上記の要因に基づいて、基地局105-aは、アップリンクロングバースト時間長に対するシンボルの数を決定し得る。
【００９０】
基地局105-aは、PDCCH領域の時間長をUE115-aに示し得る。たとえば、基地局105-aは、SIBシグナリングまたはRRCシグナリングにおいて、PDCCH領域のための準静的なデフォルトの時間長の値を構成し得る。いくつかの場合、デフォルトの時間長の値はサブバンドに依存し得る。他の場合、デフォルトの時間長の値は、送信のために割り振られる帯域幅全体にわたって一定であり得る。しかしながら、基地局105-aは、送信に使用される実際のPDCCH領域の時間長を送信ごとに動的に構成することができる。基地局105-aは、PCFICHにおける送信のための、実際のPDCCH領域の時間長を示し得る。実際のPDCCH領域の時間長は、割り振られた帯域幅の異なるサブバンドに対して、異なることも異ならないこともある。異なるサブバンドがPDCCH領域の時間長に対して異なる構成を有する場合、異なるサブバンドは、アップリンクロングバースト領域に対して異なる開始時間をサポートすることがある。これらの場合、第1のサブバンドを監視するUE115は、第2のサブバンドを監視するUE115とは異なるアップリンクロングバーストの並びを有し得る。いくつかの場合、基地局105-aまたはUE115は、異なるアップリンクロングバーストの並びにより、電力制御または位相の連続性を維持するために追加の処理を実行し得る。
【００９１】
基地局105-aはまた、UE115-aのためのULSB領域の時間長を決定し得る。いくつかの場合、基地局105-aは、アップリンク中心TTIおよびダウンリンク中心TTI210に対して異なるULSB領域の時間長を構成し得る。アップリンクTTIのULSB領域の時間長が、ダウンリンクTTIのULSB領域の時間長より1シンボル長い場合、基地局105-aおよびUE115-aは、ダウンリンク中心TTI210におけるULSB領域に先行するギャップにより、混合干渉を避けることができる。加えて、または代わりに、基地局105-aは、割り振られる帯域幅内の異なるサブバンドに対して、異なるULSB領域の時間長を構成し得る。異なるサブバンドで送信する、およびしたがって異なるULSB開始シンボルを伴うUE115は、電力制御の問題をもたらし得る。他の場合、基地局105-aは、割り振られた帯域幅全体にわたって一定のULSB領域の時間長を構成し得る。基地局105-aは、フォーマットのセットのうちのあるフォーマットに基づいて、ULSB領域の時間長を準静的に構成し得る。いくつかの場合、フォーマットのセットは、TTIおよびULSB領域の時間長の可能な組合せを制限し得る。他の場合、基地局105-aは、PDCCHにおけるUE115-aへの送信のためのULSB領域の時間長の指示を送信することによって、ULSB領域の時間長を動的に構成し得る。
【００９２】
基地局105-aは、アップリンクロングバースト領域の時間長に基づいて、アップリンク中心TTI215におけるUCI送信(たとえば、PUCCH送信)のためにUE115-aを準静的または動的に構成し得る。たとえば、基地局105-aは、SIBまたはRRCシグナリングにおけるPUCCH送信のために、デフォルトの開始値および終了値を送信し得る。準静的な構成は、アップリンクロングバースト領域内のPUCCH送信をスケジューリングすることがあり、PDCCH領域またはULSB領域へと延びないことがある。アップリンクロングバースト領域内で、UE115-aは、PUCCH送信のために周波数ホッピングを実行し得る。
【００９３】
動的な構成では、基地局105-aは、PDCCH領域において使用される、またはULSB領域においてUE115に割り振られる実際のリソースの指示を送信し得る。たとえば、基地局105-aは、PCFICHまたはPDCCHにおいてこの指示を送信し得る。UE能力に応じて、UE115-aは、この指示を復号することができ、この指示に基づいてPUCCH送信を動的に構成することができる。たとえば、UE115-aは、デフォルトのPDCCH領域のために指定されるより少数のシンボルを使用して基地局105-aがアップリンク中心TTI215においてPDCCH情報を送信したことの指示を、受信し得る。この場合、UE115-aは、ダウンリンクモードからアップリンクモードに切り替えるためのギャップを維持しながら、より早く開始するようにPUCCH送信を延長し得る。同様に、UE115-aは、指定されるULSB領域内に未使用のリソースがあることの指示を受信し得る。UE115-aは、PUCCH送信を未使用のリソースへと延長し得る。このようにして、動的に構成されるUE115は、アップリンク中心TTI215のリソースをより効率的に使用し得る。
【００９４】
UE115-aは、符号分割多重化(CDM)を使用してPUCCH送信を送信し得る。このようにして、基地局105-aは、同じ周波数を介して、または同時に複数のユーザ(たとえば、いくつかの場合には最大で36個のUE115)からPUCCH送信を受信することができ、CDMに基づいて信号を区別することができる。UE115-aは直交カバー符号(OCC)を実装することができ、これはWalsh符号シーケンスを利用することができる。いくつかの場合、Walsh符号シーケンスは、離散フーリエ変換(DFT)の前に適用され得る。UE115-aはまた、巡回シフトを実装することができ、TTI内で巡回シフトホッピングを実行することができる。たとえば、UE115-aは、TTIの第1の部分(たとえば、シンボルの第1のセット)の間に第1の巡回シフトを使用することができ、TTIの第2の部分(たとえば、シンボルの第2のセット)の間に第2の巡回シフトを使用することができる。
【００９５】
基地局105-aまたはUE115-aは、(たとえば、四位相偏移変調(QPSK)を使用して)送信を変調し得る。UCIを送信するとき、UE115-aはまず、ポーラコーディング技法を使用して、情報ビットのセットを符号語へと符号化し得る。いくつかの場合、UCIは、最大で、PUCCH上で送信され得る閾値の数のビット(たとえば、1024ビット)を含む符号語を含み得る。しかしながら、いくつかの場合、UE115-aは、閾値の数のビットにおいて符号化され得るものより多くの、送信すべきUCI(たとえば、ポーラコーディングのためのより多くの情報ビット)を有し得る。これらの場合、UE115-aは、UCIの閾値の数のビットよりも多くのビットを送信し得る。
【００９６】
いくつかの場合、閾値の数のビットよりも多くのビットを送信するために、UE115-aは複数の符号語にわたってUCIを分割することができ、ここで、複数の符号語の各々は、閾値の数のビットより少ないビットを含み得る。他の場合、UE115-aは、情報ビットをより長い符号語(すなわち、閾値の数のビットより長い)へと符号化し得る、ポーラコーディング技法を実装し得る。さらに他の場合、UE115-aは、符号語を符号化するために、ポーラコーディング技法ではなく低密度パリティチェック(LDPC)コーディング技法を使用し得る。いくつかの場合、LDPCコーディング技法は、より多くの情報ビットが同じ長さの符号語へと符号化されることを可能にし得る。このようにして、UE115-aは、閾値の数のビットにおいてより多くのUCIを送信し得る。
【００９７】
他の場合には、UE115-aは、PUCCH上ではなくPUSCH上で、UCIの一部またはすべてを送信し得る。いくつかの場合、PUSCHは、その変調プロセスにより、PUCCHより大きいペイロードを搬送し得る。これらの送信のために、UE115-aは、UCIを送信することがあり、PUSCH上でアップリンクデータを送信しないことがある。UE115-aは、PUSCH送信を符号化するためにLDPCコーディング技法またはポーラコーディング技法のいずれかを使用し得る。UE115-aは、UCIペイロードサイズ、基地局のカバレッジセル内でのUEの相対的な場所、またはこれらの組合せに基づいて、UCIを転送するためのチャネルを決定し得る。
【００９８】
UE115-aは、UCIペイロードサイズを比較するための1つまたは複数の閾値を特定し得る。たとえば、UE115-aは、第1の閾値のペイロードサイズおよび第2の閾値のペイロードサイズを特定することができ、第2の閾値のペイロードサイズは第1の閾値のペイロードサイズより大きい。UCIペイロードサイズが第1の閾値のペイロードサイズより小さい場合、UE115-aは、短いPUCCHまたは長いPUCCHを使用してUCIを送信し得る。たとえば、カバレッジエリア110-aの端の近くのUE115は、長いPUCCHを使用してUCIを送信することができ、カバレッジエリア110-aの中心に近いUE115は、短いPUCCHを使用してUCIを送信することができる。UCIペイロードサイズが第1の閾値のペイロードサイズより大きく、しかし第2の閾値のペイロードサイズより小さい場合、UE115-aは、長いPUCCHまたは短いPUSCHを使用して送信することができる。たとえば、カバレッジエリア110-aの端の近くのUE115は、長いPUCCHを使用してUCIを送信することができ、カバレッジエリア110-aの中心に近いUE115は、短いPUSCHを使用してUCIを送信することができる。UCIペイロードサイズが第2の閾値のペイロードサイズより大きい場合、UE115-aは、長いPUSCHを使用してUCIを送信することができる。
【００９９】
図3は、本開示の様々な態様による、ワイヤレス通信のためのアップリンク制御チャネル構成をサポートするTTI構成300の例を示す。TTI構成300は複数のTTI305を含むことがあり、これらの各々がいくつかのシンボル310を含むことがある。いくつかの場合、同じタイプの複数のTTI305が集約され得る(たとえば、最初の3つのダウンリンクTTI305)。構成可能なアップリンクTTI315は、図1および図2を参照して説明されるように、たとえば基地局105によって、準静的または動的に構成され得る。構成可能なアップリンクTTI315は、デフォルトのPDCCH領域320、スケジューリングされるギャップ325、アップリンクロングバースト領域330、およびデフォルトULSB領域335を含み得る。
【０１００】
いくつかの場合、基地局105は、アップリンクロングバースト領域330のために、PUCCH部分350の時間長を準静的に構成し得る。この時間長は、アップリンクロングバースト領域330のシンボル310の数に基づくことがあり、これは基地局ごとに異なり得る。たとえば、準静的に構成されるPUCCH部分350は、同じ時間長を伴う任意のアップリンクロングバースト領域330に対して同じであり得る。準静的な構成では、PUCCH部分350は、デフォルトの位置で開始し終了し得る。たとえば、PUCCH部分350は、アップリンクロングバースト領域330の最初に(たとえば、スケジューリングされたギャップ325の後で)開始し得る。いくつかの場合、PUCCH部分350は、アップリンクロングバースト領域330において1つまたは複数の周波数ホップを実行し得る(たとえば、PUCCH部分350-aからPUCCH部分350-bへの切替え)。PUCCH部分350は、アップリンクロングバースト領域330の最後に(たとえば、デフォルトULSB領域335の前に)終了し得る。
【０１０１】
いくつかの場合、ULSB領域335は割り振られた帯域幅全体にわたることがあり、UE115は割り振られた帯域幅内の任意のリソースブロック(RB)においてアップリンク情報を送信することがある。他の場合には、デフォルトULSB領域335は、割り振られた帯域幅全体にわたらないことがあり、代わりに指定されたサブバンド(たとえば、リソース345を含むサブバンド)にわたることがある。これらの場合、PUCCH部分350は、(たとえば、追加のPUCCH部分355を伴う)ULSBのために使用される1つまたは複数のシンボル310へと延長することがあり、PUCCH部分350は、デフォルトULSB領域335として指定されるサブバンドとは異なるサブバンドを使用することがある。
【０１０２】
準静的な構成の場合、UE115はPCFICHまたはPDCCHを復号しないことがある。たとえば、UE115は、PCFICHを復号する能力を含まないことがあり、または任意選択でPCFICHを復号しないことがある。UE115は、デフォルトの開始時間および終了時間に基づいてPUCCH部分350の構成を決定することがあり、開始時間および終了時間を示す信号を受信する必要はないことがある。加えて、各UE115はPUCCH部分350のために同じ時間長を有することがあり、このことは、基地局が時間領域の拡散を用いて多重化を実行することを可能にし得る。
【０１０３】
他の場合には、基地局105は、PDCCH送信およびULSB送信のために使用される実際の領域に基づいて、PUCCH部分350の時間長を動的に構成し得る。UE115は、PCFICHおよびPDCCHの中の情報を復号するための能力を含み得る。UEは、PCFICHおよびPDCCHを復号することができ、PDCCH送信およびULSB送信のために使用される実際のリソース340および345を決定することができる。
【０１０４】
いくつかの場合、PDCCH送信のために使用される実際のリソース340は、デフォルトPDCCH領域320のリソースより少ないことがある。たとえば、デフォルトPDCCH領域320の時間長は2シンボル310であり得るが、基地局105は、第1のシンボル310においてPDCCH上でDCIを送信することがあり、第2のシンボル310においてDCIを送信しないことがある。この場合、デフォルトPDCCH領域320の第2のシンボル310は、送信におけるギャップを表すことがあるので、ダウンリンク送信とアップリンク送信との間での切替えのバッファとして機能することがある。スケジューリングされたギャップ325は、デフォルトPDCCH領域320のシンボル310がギャップとして機能する場合、冗長であり得る。基地局105は、PDCCH送信のための実際のリソース340がデフォルトPDCCH領域320の最後のシンボル310を利用しないことの指示をPCFICHにおいて送信し得る。基地局105は、(たとえば、シグナリングメッセージにおいて以前に)UE能力を受信することがあり、UE115がUE能力に基づいてPCFICHを復号し得るかどうかを決定することがある。
【０１０５】
UE115がPCFICHを復号することが可能である場合、基地局105は、アップリンクロングバースト領域330の前に(たとえば、追加のPUCCH部分360を伴う)スケジューリングされたギャップ325へと延長するようにPUCCH部分350を動的に構成し得る。UE115は、PCFICHの中の指示または動的な構成を受信して復号することができ、スケジューリングされたギャップ325として準静的に確保されるシンボル310の中でPUCCH部分350を開始することができる。いくつかの場合、シンボル310のギャップが、PDCCH送信に使用される実際のリソース340とPUCCH部分350の最初との間に維持される限り、基地局105は、デフォルトPDCCH領域320へと延長するようにPUCCH部分350を構成することができる。このようにして、UE115は、構成可能なアップリンクTTI315において利用可能なリソースをより効率的に使用することができる。
【０１０６】
同様に、いくつかの場合、ULSB送信のために使用される実際のリソース345は、デフォルトULSB領域335のリソースより少ないことがある。たとえば、デフォルトULSB領域335は、割り振られた帯域幅全体にわたり得る。しかしながら、基地局105は、送信のためにいずれのUE115にも割り振られていない帯域幅内のRBを決定し得る。いくつかの場合、基地局105は、UE固有のPDCCHメッセージまたは共通のPDCCHメッセージのいずれかにおいて、使用されていないRB(free RB)を示し得る。基地局105は、デフォルトULSB領域335として準静的に構成されるシンボル310の中の使用されていないRBのうちの1つまたは複数へとPUCCH部分350を延長するように、UE115を動的に構成し得る。UE115は、PDCCHを受信して復号することができ、PDCCHに基づいてデフォルトULSB領域335(たとえば、追加のPUCCH部分355を伴う)へとPUCCH部分350を延長することを決定することができる。
【０１０７】
いくつかの場合、基地局105は、UE能力に基づいてUE115をグループ化し得る。たとえば、基地局105は、PCFICHとPDCCHの両方を復号できるUE115、およびPCFICH、PDCCHを復号できないUE115、またはこれらの両方へと、UE115をグループ化し得る。基地局105は、PCFICH、PDCCH、または両方を復号できないUE115のグループに対して、PUCCH部分350の時間長の準静的な構成を使用し得る。基地局105は、PCFICHとPDCCHの両方を復号できるUE115のグループに対して、PUCCH部分350の時間長を動的に構成し得る。
【０１０８】
いくつかの場合(たとえば、基地局105が時間領域においてCDMを実行する場合)、基地局105は、異なるサブバンドまたはRBの中の各グループに対してPUCCH部分350を構成し得る。他の場合(たとえば、基地局105が周波数領域においてCDMを実行する場合)、基地局105は、同じサブバンドまたはRBの中の各グループに対してPUCCH部分350を構成し得る。いくつかの場合、1つのUE115グループは第1のCDMグループを構成することがあり、ここで第1のCDMグループの送信は、第2のCDMグループの送信に直交することがあり、第2のCDMグループは第2のUE115グループを含むことがある。他の場合、基地局105は、追加のPUCCH部分355または360に対して、第1のCDMグループの中の追加のPUCCH部分355または360を持つUE115を含むことがあり、PUCCH部分350の重複する部分(たとえば、PUCCH部分350-aおよび350-bとして示される)に対して、第2のまたはそれ以降のCDMグループの中の両方のUE115グループを含むことがある。
【０１０９】
図4は、本開示の様々な態様による、ワイヤレス通信のためのアップリンク制御チャネル構成をサポートするPUCCH構成400の例を示す。PUCCH構成400は、TTIの部分またはTTIの集約であり得る、アップリンクロングバースト領域405を含み得る。各アップリンクロングバースト領域405は、PUCCH部分410または延長されたPUCCH部分415を含み得る。
【０１１０】
いくつかの場合、同じアップリンクペイロードサイズ(たとえば、同じアップリンクロングバースト領域405の時間長を伴う)を使用し得る基地局105は、PUCCH部分410または延長されたPUCCH部分415においてアップリンク情報を受信し得る。同じペイロードサイズに対して、基地局105は、固定されたシンボルインデックスにおいて周波数ホッピングを構成し得る。たとえば、アップリンクロングバースト領域405-aは、第1のPUCCH部分410-aから第2のPUCCH部分410-bへの周波数ホッピングを実行し得る。同様に、アップリンクロングバースト領域405-bは、TTI内の同じシンボルインデックスにおいて、第1の延長されたPUCCH部分415-aから第2の延長されたPUCCH部分415-bへの周波数ホッピングを実行し得る。このことは、基地局105における構成および受信のための簡単な設計を可能にし得る。
【０１１１】
同じペイロードサイズに対して、基地局105は追加で、固定されたシンボルインデックスのために、復調基準信号(DMRS)420の送信を構成し得る。たとえば、PUCCH部分410において、UE115は、DMRS420-a、420-b、420-c、および420-dを送信するように構成され得る。同様に、延長されるPUCCH部分415において、UE115は、DMRS420-e、420-f、420-g、および420-hを送信するように構成されることがあり、これらは、PUCCH部分410のためのDMRSとしてTTI内の同じシンボルにおいて送信されることがある。周波数ホッピング位置のDMRSをシフトする代わりに、延長されたPUCCH部分415は、PUCCH部分410の最初、最後、または両方に、データ送信のための追加のシンボルを追加するだけでもよい。いくつかの場合、この時間長は、他のより長い時間長の構成(たとえば、4シンボルの時間長)と比較して、DMRSおよびデータシンボルのサブセットのみを含み得る。DMRSシンボルはそのような場合には除外され得るが、各周波数位置は、たとえば、チャネル推定のためのDMRSシンボルを少なくとも含み得る。いくつかの場合、異なるサイズのペイロードおよび異なるアップリンクロングバースト領域405の時間長は、異なるホッピング位置またはDMRS420の送信タイミングに対応し得る。
【０１１２】
図5は、本開示の様々な態様による、ワイヤレス通信のためのアップリンク制御チャネル構成をサポートするプロセスフロー500の例を示す。プロセスフロー500は、図1および図2を参照して説明されたようなUE115および基地局105の例であり得る、UE115-bおよび基地局105-bを含み得る。
【０１１３】
505において、UE115-bは、UE115-bのための1つまたは複数のUE能力の指示を送信し得る。たとえば、1つまたは複数のUE能力は、PCFICHまたはPDCCHにおいて送信される情報を復号するためのUE115-bの能力を含み得る。基地局105-bは、UE能力の指示を受信することができ、UE能力に基づいてUE115-bのためのアップリンク制御チャネル構成を決定することができる。
【０１１４】
510において、基地局105-bは、アップリンク制御チャネル構成の指示をUE115-bに送信し得る。いくつかの場合、基地局105-bは、物理レイヤメッセージにおいて(たとえば、PCFICHまたはPDCCHにおいて)この指示を送信し得る。他の場合には、基地局105-bは、SIBまたはRRCシグナリングにおいてこの指示を送信し得る。
【０１１５】
この指示は、アップリンク部分の開始場所、終了場所、または時間長の直接の指示であることもないこともある。この指示は、アップリンク部分の開始のためのインデックス、第1のアップリンク部分の終了のためのインデックス、または第1のアップリンク部分の時間長のうちの少なくとも1つを含み得る。いくつかの例では、この指示は、TTIにおけるアップリンク送信のための動的な指示または準静的な指示のうちの少なくとも1つを含む。動的な指示は、ダウンリンク部分のサイズに少なくとも一部基づく、第1のアップリンク部分の開始を含み得る。動的な指示はPDCCH上で受信されることがあり、かつ/または、第1のアップリンク部分はTTIの中の第2のアップリンク部分へと延びる。準静的な指示は、システム情報メッセージまたは無線リソース制御メッセージのうちの少なくとも1つとともに受信され得る。この指示は、第1のTTIに対するアップリンク構成の動的な指示、および第2のTTIに対するアップリン構成の準静的な指示であり得る。代わりに、この指示は、PDCCH領域および/またはULSB領域のものであることがあり、追加のアップリンク領域または部分が導出されることがある。
【０１１６】
515において、UE115-bは、TTIの第1のアップリンク部分の間の送信のためにUCIを特定し得る。TTIは、ダウンリンク部分、第1のアップリンク部分、および第1のアップリンク部分より短い第2のアップリンク部分を含み得る。UCIは関連するペイロードサイズを有し得る。
【０１１７】
520において、UE115-bは、アップリンク制御チャネル構成に従って、アップリンク制御チャネル上でTTIの第1のアップリンク部分または第2のアップリンク部分の間にUCIを基地局105-bに送信し得る。いくつかの場合、UE115-bは、UCIのペイロードサイズに基づいて、UCI送信のためのホッピングパターンを決定し実装し得る。いくつかの場合、アップリンク制御チャネルの少なくとも一部分は、TTIのダウンリンク部分と第1のアップリンク部分との間のギャップ期間の一部分と重複し得る。
【０１１８】
図6は、本開示の様々な態様による、ワイヤレス通信のためのアップリンク制御チャネル構成をサポートするプロセスフロー600の例を示す。プロセスフロー600は、図1および図2を参照して説明されたようなUE115および基地局105の例であり得る、UE115-cおよび基地局105-cを含み得る。
【０１１９】
605において、UE115-cは基地局105-cへの送信のためのUCIを特定し得る。610において、UE115-cはUCIの送信のためのアップリンクリソースのセットを決定し得る。いくつかの場合、UE115-cは、UCIのペイロードサイズに基づいてアップリンクリソースのセットを決定し得る。いくつかの場合、アップリンクリソースのセットは、PUCCHリソースおよびPUSCHリソースを含み得る。UE115-cは、UCIのペイロードサイズを1つまたは複数のペイロード閾値と比較することによって、アップリンクリソースのセットを決定し得る。
【０１２０】
615において、UE115-cは、アップリンクリソースのセットを使用して、UCIを基地局105-cに送信し得る。いくつかの場合、この送信は、基地局105-cから以前に受信されたチャネル構成に基づき得る。
【０１２１】
図7は、本開示の態様による、ワイヤレス通信のためのアップリンク制御チャネル構成をサポートするワイヤレスデバイス705のブロック図700を示す。ワイヤレスデバイス705は、図1、図2、図5、および図6を参照して説明されるような、UE115の態様の例であり得る。ワイヤレスデバイス705は、受信機710、UE通信マネージャ715、および送信機720を含み得る。ワイヤレスデバイス705はプロセッサも含み得る。これらの構成要素の各々は、互いに(たとえば、1つまたは複数のバスを介して)通信していることがある。
【０１２２】
受信機710は、パケット、ユーザデータ、または様々な情報チャネルと関連付けられる制御情報(たとえば、制御チャネル、データチャネル、およびワイヤレス通信のためのアップリンク制御チャネル構成に関する情報など)などの、情報を受信し得る。情報は、デバイスの他の構成要素に渡され得る。受信機710は、図10を参照して説明されるように、トランシーバ1035の態様の例であり得る。受信機710は、単一のアンテナまたはアンテナのセットを利用し得る。
【０１２３】
UE通信マネージャ715は、図10を参照して説明されるような、UE通信マネージャ1015の態様の例であり得る。UE通信マネージャ715および/またはその様々な副構成要素の少なくともいくつかは、ハードウェア、プロセッサにより実行されるソフトウェア、ファームウェア、またはこれらの任意の組合せで実装され得る。プロセッサにより実行されるソフトウェアで実装される場合、UE通信マネージャ715および/またはその様々な副構成要素の少なくともいくつかの機能は、汎用プロセッサ、デジタルシグナルプロセッサ(DSP)、特定用途向け集積回路(ASIC)、フィールドプログラマブルゲートアレイ(FPGA)、または他のプログラマブル論理デバイス、個別のゲートもしくはトランジスタ論理、個別のハードウェア構成要素、または、本開示で説明される機能を実行するように設計されるそれらの任意の組合せによって実行され得る。
【０１２４】
UE通信マネージャ715および/またはその様々な副構成要素の少なくともいくつかは、機能の部分が1つまたは複数の物理デバイスによって異なる物理的位置において実装されるように分散されることを含めて、様々な場所に物理的に配置され得る。いくつかの例では、UE通信マネージャ715および/またはその様々な副構成要素の少なくともいくつかは、本開示の様々な態様によれば、別々の個別の構成要素であり得る。他の例では、UE通信マネージャ715および/またはその様々な副構成要素の少なくともいくつかは、限定はされないが、I/O構成要素、トランシーバ、ネットワークサーバ、別のコンピューティングデバイス、本開示で説明される1つまたは複数の他の構成要素、または、本開示の様々な態様によるそれらの組合せを含む、1つまたは複数の他のハードウェア構成要素と組み合わされ得る。
【０１２５】
UE通信マネージャ715は、アップリンク制御チャネル構成の指示を受信し、ダウンリンク部分、第1のアップリンク部分、および第2のアップリンク部分を有するTTIの第1のアップリンク部分の間の送信のためのUCIを特定することができ、第1のアップリンク部分は第2のアップリンク部分より長い時間長を有する。UE通信マネージャ715はまた、送信のためのUCIを特定し、UCIのペイロードサイズに基づいて、UCIの送信のためのアップリンクリソースのセットを決定し得る。
【０１２６】
送信機720は、デバイスの他の構成要素によって生成される信号を送信し得る。いくつかの例では、送信機720は、トランシーバモジュールの中で受信機710と併置され得る。たとえば、送信機720は、図10を参照して説明されるように、トランシーバ1035の態様の例であり得る。送信機720は、単一のアンテナまたはアンテナのセットを利用し得る。
【０１２７】
送信機720は、アップリンク制御チャネル構成に従ってTTIの第1のアップリンク部分または第2のアップリンク部分の間にUCIを送信し、アップリンクリソースのセットを使用してUCIを送信し得る。いくつかの場合、UCIを送信することは、TTIの第1のアップリンク部分の間にUCIの第1の部分を、TTIの第2のアップリンク部分の間に第2の部分を送信することを含む。
【０１２８】
図8は、本開示の態様による、ワイヤレス通信のためのアップリンク制御チャネル構成をサポートするワイヤレスデバイス805のブロック図800を示す。ワイヤレスデバイス805は、図1、図2、および図5から図7を参照して説明されるような、ワイヤレスデバイス705またはUE115の態様の例であり得る。ワイヤレスデバイス805は、受信機810、UE通信マネージャ815、および送信機820を含み得る。ワイヤレスデバイス805はプロセッサも含み得る。これらの構成要素の各々は、互いに(たとえば、1つまたは複数のバスを介して)通信していることがある。
【０１２９】
受信機810は、パケット、ユーザデータ、または様々な情報チャネルと関連付けられる制御情報(たとえば、制御チャネル、データチャネル、およびワイヤレス通信のためのアップリンク制御チャネル構成に関する情報など)などの、情報を受信し得る。情報は、デバイスの他の構成要素に渡され得る。受信機810は、図10を参照して説明されるように、トランシーバ1035の態様の例であり得る。受信機810は、単一のアンテナまたはアンテナのセットを利用し得る。
【０１３０】
UE通信マネージャ815は、図10を参照して説明されるような、UE通信マネージャ1015の態様の例であり得る。UE通信マネージャ815はまた、構成構成要素825、UCI構成要素830、およびリソース識別器835を含み得る。
【０１３１】
構成構成要素825は、アップリンク制御チャネル構成の指示を受信し得る。いくつかの場合、アップリンク制御チャネル構成は、PDCCHによって占有されるTTIのダウンリンク部分のシンボルの数もしくはTTIの第2のアップリンク部分のシンボルの数、またはこれらの両方に基づく。いくつかの例では、この指示はSIBまたはRRCシグナリングを介して受信される。
【０１３２】
UCI構成要素830は、ダウンリンク部分、第1のアップリンク部分、および第2のアップリンク部分を有するTTIの第1のアップリンク部分の間の送信のためのUCIを特定し、送信のためのUCIを特定することができ、第1のアップリンク部分は第2のアップリンク部分より長い時間長を有する。
【０１３３】
リソース識別器835は、UCIのペイロードサイズに基づいて、UCIの送信のためのアップリンクリソースのセットを決定し得る。いくつかの場合、アップリンクリソースのセットは、PUCCHリソースのセットおよびPUSCHリソースのセットのうちの少なくとも1つを含む。いくつかの例では、アップリンクリソースのセットは、チャネル構造のセットもしくはコーディング方式のセット、または両方を含む。いくつかの態様では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長い第4の時間長を有するアップリンク共有チャネルを含む。
【０１３４】
送信機820は、デバイスの他の構成要素によって生成される信号を送信し得る。いくつかの例では、送信機820は、トランシーバモジュールの中で受信機810と併置され得る。たとえば、送信機820は、図10を参照して説明されるように、トランシーバ1035の態様の例であり得る。送信機820は、単一のアンテナまたはアンテナのセットを利用し得る。
【０１３５】
図9は、本開示の態様による、ワイヤレス通信のためのアップリンク制御チャネル構成をサポートするUE通信マネージャ915のブロック図900を示す。UE通信マネージャ915は、図7、図8、および図10を参照して説明された、UE通信マネージャ715、UE通信マネージャ815、またはUE通信マネージャ1015の態様の例であり得る。UE通信マネージャ915は、構成構成要素920、UCI構成要素925、リソース識別器930、UE能力構成要素935、ホッピング構成要素940、ギャップ延長構成要素945、物理レイヤ構成要素950、セグメンテーション構成要素955、および閾値構成要素960を含み得る。これらのモジュールの各々は、互いに、直接または間接的に(たとえば、1つまたは複数のバスを介して)、通信していることがある。
【０１３６】
構成構成要素920は、アップリンク制御チャネル構成の指示を受信し得る。いくつかの場合、アップリンク制御チャネル構成は、PDCCHによって占有されるTTIのダウンリンク部分のシンボルの数またはTTIの第2のアップリンク部分のシンボルの数、またはこれらの両方に基づく。いくつかの場合、この指示はSIBまたはRRCシグナリングを介して受信される。
【０１３７】
UCI構成要素925は、ダウンリンク部分、第1のアップリンク部分、および第2のアップリンク部分を有するTTIの第1のアップリンク部分の間の送信のためのUCIを特定し、送信のためのUCIを特定することができ、第1のアップリンク部分は第2のアップリンク部分より長い時間長を有する。
【０１３８】
リソース識別子930は、UCIのペイロードサイズに基づいて、UCIの送信のためのアップリンクリソースのセットを決定し得る。いくつかの場合、アップリンクリソースのセットは、PUCCHリソースのセットおよびPUSCHリソースのセットのうちの少なくとも1つを含む。いくつかの例では、アップリンクリソースのセットは、チャネル構造のセットもしくはコーディング方式のセット、または両方を含む。いくつかの態様では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長い第4の時間長を有するアップリンク共有チャネルを含む。
【０１３９】
UE能力構成要素935はUE能力の指示を送信することができ、アップリンク制御チャネル構成の指示はUE能力に基づく。
【０１４０】
ホッピング構成要素940は、第1のアップリンク部分内でのUCIの送信のためのホッピングパターンを決定することができ、ホッピングパターンは、UCIのペイロードサイズに基づいてホッピングパターンのセットから選択される。ホッピング構成要素940は、ホッピングパターンのためのDMRSに対するシンボルインデックスを決定することができ、このシンボルインデックスは、ホッピングパターンのセットの各ホッピングパターンに対して同じ値を含む。
【０１４１】
ギャップ延長構成要素945は、TTIのダウンリンク部分と第1のアップリンク部分との間のギャップ期間の少なくとも一部分と重複するように、アップリンク制御チャネル構成を有するアップリンク制御チャネルの少なくとも一部分を延長し得る。いくつかの場合、アップリンク制御チャネル構成は、ギャップ期間の間にUEを多重化するための第1のコードと、TTIの第1のアップリンク部分の間にUEを多重化するための、または(たとえば、同じUEからの)送信を多重化するための第2のコードとを含む。
【０１４２】
物理レイヤ構成要素950は、物理レイヤメッセージを介してこの指示を受信し得る。いくつかの場合、物理レイヤメッセージは、PCFICHまたはPDCCHのうちの少なくとも1つを含む。いくつかの例では、この指示は、アップリンク制御チャネル構成の直交周波数分割多重化(OFDM)シンボルの数、TTIの第1のアップリンク部分のOFDMシンボルの数、TTIの第2のアップリンク部分のOFDMシンボルの数、またはTTIのダウンリンク部分のOFDMシンボルの数、またはこれらの任意の組合せを示す。いくつかの態様では、物理レイヤメッセージは、UE固有のPDCCHメッセージを含む。いくつかの事例では、物理レイヤメッセージは、共通のPDCCHメッセージを含む。
【０１４３】
セグメンテーション構成要素955は、ポーラ符号のセットを使用してUCIをセグメント化することができ、UCIを送信することはこのセグメント化に基づく。
【０１４４】
閾値構成要素960は、UCIのペイロードサイズを1つまたは複数のペイロード閾値と比較することができ、アップリンクリソースのセットは、この比較に基づいて決定される。いくつかの場合、ペイロードサイズを比較することは、ペイロードサイズが第1のペイロード閾値および第2のペイロード閾値によって定められる範囲内にあることを決定することを含む。
【０１４５】
図10は、本開示の態様による、ワイヤレス通信のためのアップリンク制御チャネル構成をサポートするデバイス1005を含むシステム1000の図を示す。デバイス1005は、図1、図2、および図5から図8を参照して上で説明されるような、ワイヤレスデバイス705、ワイヤレスデバイス805、もしくはUE115の構成要素の例であることがあり、またはそれらを含むことがある。デバイス1005は、UE通信マネージャ1015、プロセッサ1020、メモリ1025、ソフトウェア1030、トランシーバ1035、アンテナ1040、およびI/Oコントローラ1045を含む、通信を送信して受信するための構成要素を含む双方向の音声およびデータ通信のための構成要素を含み得る。これらの構成要素は、1つまたは複数のバス(たとえば、バス1010)を介して電気的に通信していることがある。デバイス1005は、1つまたは複数の基地局105とワイヤレスに通信し得る。
【０１４６】
プロセッサ1020は、インテリジェントハードウェアデバイス(たとえば、汎用プロセッサ、DSP、中央処理装置(CPU)、マイクロコントローラ、ASIC、FPGA、プログラマブル論理デバイス、個別のゲートもしくはトランジスタ論理構成要素、個別のハードウェア構成要素、またはこれらの任意の組合せ)を含み得る。いくつかの場合、プロセッサ1020は、メモリコントローラを使用してメモリアレイを動作させるように構成され得る。他の場合には、メモリコントローラはプロセッサ1020へと統合され得る。プロセッサ1020は、様々な機能(たとえば、ワイヤレス通信のためのアップリンク制御チャネル構成をサポートする機能またはタスク)を実行するためにメモリに記憶されているコンピュータ可読命令を実行するように構成され得る。
【０１４７】
メモリ1025は、ランダムアクセスメモリ(RAM)および読取り専用メモリ(ROM)を含み得る。メモリ1025は、実行されると、プロセッサに本明細書で説明される様々な機能を実行させる命令を含む、コンピュータ可読のコンピュータ実行可能ソフトウェア1030を記憶し得る。いくつかの場合、メモリ1025は、とりわけ、周辺構成要素またはデバイスとの対話などの、基本的なハードウェアおよび/またはソフトウェア動作を制御し得る基本入出力システム(BIOS)を含み得る。
【０１４８】
ソフトウェア1030は、ワイヤレス通信のためのアップリンク制御チャネル構成をサポートするためのコードを含む、本開示の態様の実装するためのコードを含み得る。ソフトウェア1030は、システムメモリまたは他のメモリなどの、非一時的コンピュータ可読媒体に記憶され得る。いくつかの例では、ソフトウェア1030は、プロセッサによって直接実行可能ではないことがあるが、(たとえば、コンパイルされ実行されると)コンピュータに本明細書で説明される機能を実行させることがある。
【０１４９】
トランシーバ1035は、上で説明されたように、1つまたは複数のアンテナ、有線リンク、またはワイヤレスリンクを介して、双方向に通信し得る。たとえば、トランシーバ1035は、ワイヤレストランシーバを表すことがあり、別のワイヤレストランシーバと双方向に通信することがある。トランシーバ1035はまた、パケットを変調し、変調されたパケットを送信のためにアンテナに提供し、アンテナから受信されたパケットを復調するためのモデムを含み得る。
【０１５０】
いくつかの態様では、ワイヤレスデバイスは単一のアンテナ1040を含み得る。しかしながら、いくつかの場合、デバイスは、複数のワイヤレス送信を同時に送信または受信することが可能であり得る、2つ以上のアンテナ1040を有し得る。
【０１５１】
I/Oコントローラ1045は、デバイス1005のための入力信号および出力信号を管理し得る。I/Oコントローラ1045はまた、デバイス1005へと統合されない周辺機器を管理し得る。いくつかの場合、I/Oコントローラ1045は、外部周辺機器への物理接続またはポートを表し得る。いくつかの例では、I/Oコントローラ1045は、iOS(登録商標)、ANDROID(登録商標)、MS-DOS(登録商標)、MS-WINDOWS(登録商標)、OS/2(登録商標)、UNIX(登録商標)、LINUX(登録商標)、または別の既知のオペレーティングシステムなどの、オペレーティングシステムを利用し得る。他の場合には、I/Oコントローラ1045は、モデム、キーボード、マウス、タッチスクリーン、もしくは同様のデバイスを表すことがあり、またはそれらと相互作用することがある。いくつかの態様では、I/Oコントローラ1045は、プロセッサの一部として実装され得る。いくつかの事例では、ユーザは、I/Oコントローラ1045を介して、または、I/Oコントローラ1045によって制御されるハードウェア構成要素を介して、デバイス1005と対話し得る。
【０１５２】
図11は、本開示の態様による、ワイヤレス通信のためのアップリンク制御チャネル構成をサポートするワイヤレスデバイス1105のブロック図1100を示す。ワイヤレスデバイス1105は、図1、図2、図5、および図6を参照して説明されるような、基地局105の態様の例であり得る。ワイヤレスデバイス1105は、受信機1110、基地局通信マネージャ1115、および送信機1120を含み得る。ワイヤレスデバイス1105はプロセッサも含み得る。これらの構成要素の各々は、互いに(たとえば、1つまたは複数のバスを介して)通信していることがある。
【０１５３】
受信機1110は、パケット、ユーザデータ、または様々な情報チャネルと関連付けられる情報(たとえば、制御チャネル、データチャネル、およびワイヤレス通信のためのアップリンク制御チャネル構成に関する情報など)などの、情報を受信し得る。情報は、デバイスの他の構成要素に渡され得る。受信機1110は、図14を参照して説明されるような、トランシーバ1435の態様の例であり得る。受信機1110は、単一のアンテナまたはアンテナのセットを利用し得る。
【０１５４】
基地局通信マネージャ1115は、図14を参照して説明されるような、基地局通信マネージャ1415の態様の例であり得る。基地局通信マネージャ1115および/またはその様々な副構成要素の少なくともいくつかは、ハードウェア、プロセッサにより実行されるソフトウェア、ファームウェア、またはこれらの任意の組合せで実装され得る。プロセッサにより実行されるソフトウェアで実装される場合、基地局通信マネージャ1115および/またはその様々な副構成要素の少なくともいくつかの機能は、汎用プロセッサ、DSP、ASIC、FPGA、または他のプログラマブル論理デバイス、個別のゲートもしくはトランジスタ論理、個別のハードウェア構成要素、または、本開示で説明される機能を実行するように設計されるそれらの任意の組合せによって実行され得る。
【０１５５】
基地局通信マネージャ1115および/またはその様々な副構成要素の少なくともいくつかは、機能の部分が1つまたは複数の物理デバイスによって異なる物理的位置において実装されるように分散されることを含めて、様々な場所に物理的に配置され得る。いくつかの例では、基地局通信マネージャ1115および/またはその様々な副構成要素の少なくともいくつかは、本開示の様々な態様によれば、別々の個別の構成要素であり得る。他の例では、基地局通信マネージャ1115および/またはその様々な副構成要素の少なくともいくつかは、限定はされないが、I/O構成要素、トランシーバ、ネットワークサーバ、別のコンピューティングデバイス、本開示で説明される1つまたは複数の他の構成要素、または、本開示の様々な態様によるそれらの任意の組合せを含む、1つまたは複数の他のハードウェア構成要素と組み合わされ得る。
【０１５６】
基地局通信マネージャ1115は、アップリンク制御チャネル構成の指示を送信し、ダウンリンク部分、第1のアップリンク部分、および第2のアップリンク部分を有するTTIの第1のアップリンク部分の間にアップリンク制御チャネル構成に従ってUCIを受信することができ、第1のアップリンク部分は第2のアップリンク部分より長い時間長を有する。基地局通信マネージャ1115はまた、UEからUCIの受信のためのリソースのセットを特定し、リソースのセットがUCIのペイロードサイズに基づいて決定され、リソースのセットを通じてUEからUCIを受信することができる。
【０１５７】
送信機1120は、デバイスの他の構成要素によって生成される信号を送信し得る。いくつかの例では、送信機1120は、トランシーバモジュールの中で受信機1110と併置され得る。たとえば、送信機1120は、図14を参照して説明されるような、トランシーバ1435の態様の例であり得る。送信機1120は、単一のアンテナまたはアンテナのセットを利用し得る。
【０１５８】
図12は、本開示の態様による、ワイヤレス通信のためのアップリンク制御チャネル構成をサポートするワイヤレスデバイス1205のブロック図1200を示す。ワイヤレスデバイス1205は、図1、図2、図5、図6、および図11を参照して説明されるような、ワイヤレスデバイス1105または基地局105の態様の例であり得る。ワイヤレスデバイス1205は、受信機1210、基地局通信マネージャ1215、および送信機1220を含み得る。ワイヤレスデバイス1205はプロセッサも含み得る。これらの構成要素の各々は、互いに(たとえば、1つまたは複数のバスを介して)通信していることがある。
【０１５９】
受信機1210は、パケット、ユーザデータ、または様々な情報チャネルと関連付けられる制御情報(たとえば、制御チャネル、データチャネル、およびワイヤレス通信のためのアップリンク制御チャネル構成に関する情報など)などの、情報を受信し得る。情報は、デバイスの他の構成要素に渡され得る。受信機1210は、図14を参照して説明されるような、トランシーバ1435の態様の例であり得る。受信機1210は、単一のアンテナまたはアンテナのセットを利用し得る。
【０１６０】
基地局通信マネージャ1215は、図14を参照して説明されるような、基地局通信マネージャ1415の態様の例であり得る。基地局通信マネージャ1215はまた、構成構成要素1225、UCI構成要素1230、およびリソース識別器1235を含み得る。
【０１６１】
構成構成要素1225は、アップリンク制御チャネル構成の指示を送信し得る。いくつかの場合、アップリンク制御チャネル構成は、PDCCHによって占有されるTTIのダウンリンク部分のシンボルの数またはTTIの第2のアップリンク部分のシンボルの数、またはこれらの両方に基づく。いくつかの場合、この指示はSIBまたはRRCシグナリングを介して送信される。
【０１６２】
UCI構成要素1230は、ダウンリンク部分、第1のアップリンク部分、および第2のアップリンク部分を有するTTIの第1のアップリンク部分の間のアップリンク制御チャネル構成に従ってUCIを受信し、リソースのセットを介してUEからUCIを受信することができ、第1のアップリンク部分は第2のアップリンク部分より長い時間長を有する。いくつかの場合、UCIを受信することは、TTIの第1のアップリンク部分の間にUCIの第1の部分を、TTIの第2のアップリンク部分の間に第2の部分を少なくとも受信することを含む。いくつかの例では、UCIを受信することは、ポーラ符号のセットを使用してUCIの複数のセグメントを受信することを含む。
【０１６３】
リソース識別器1235は、UEからのUCIの受信のためのリソースのセットを特定することができ、リソースのセットはUCIのペイロードサイズに基づいて決定される。いくつかの場合、リソースのセットは、PUCCHリソースのセットおよびPUSCHリソースのセットのうちの少なくとも1つを含む。いくつかの例では、リソースのセットは、チャネル構造のセットもしくはコーディング方式のセット、または両方を含む。いくつかの態様では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長い第4の時間長を有するアップリンク共有チャネルを含む。
【０１６４】
送信機1220は、デバイスの他の構成要素によって生成される信号を送信し得る。いくつかの例では、送信機1220は、トランシーバモジュールの中で受信機1210と併置され得る。たとえば、送信機1220は、図14を参照して説明されるような、トランシーバ1435の態様の例であり得る。送信機1220は、単一のアンテナまたはアンテナのセットを利用し得る。
【０１６５】
図13は、本開示の態様による、ワイヤレス通信のためのアップリンク制御チャネル構成をサポートする基地局通信マネージャ1315のブロック図1300を示す。基地局通信マネージャ1315は、図11、図12、および図14を参照して説明されるような、基地局通信マネージャ1415の態様の例であり得る。基地局通信マネージャ1315は、構成構成要素1320、UCI構成要素1325、リソース識別器1330、UE能力構成要素1335、ホッピング構成要素1340、ギャップ延長構成要素1345、および物理レイヤ構成要素1350を含み得る。これらのモジュールの各々は、互いに、直接または間接的に(たとえば、1つまたは複数のバスを介して)、通信していることがある。
【０１６６】
構成構成要素1320は、アップリンク制御チャネル構成の指示を送信し得る。いくつかの場合、アップリンク制御チャネル構成は、PDCCHによって占有されるTTIのダウンリンク部分のシンボルの数またはTTIの第2のアップリンク部分のシンボルの数、またはこれらの両方に基づく。いくつかの例では、この指示はSIBまたはRRCシグナリングを介して送信される。
【０１６７】
UCI構成要素1325は、ダウンリンク部分、第1のアップリンク部分、および第2のアップリンク部分を有するTTIの第1のアップリンク部分の間のアップリンク制御チャネル構成に従ってUCIを受信し、リソースのセットを介してUEからUCIを受信することができ、第1のアップリンク部分は第2のアップリンク部分より長い時間長を有する。いくつかの場合、UCIを受信することは、TTIの第1のアップリンク部分の間にUCIの第1の部分を、TTIの第2のアップリンク部分の間に第2の部分を少なくとも受信することを含む。いくつかの例では、UCIを受信することは、ポーラ符号のセットを使用してUCIの複数のセグメントを受信することを含む。
【０１６８】
リソース識別器1330は、UEからのUCIの受信のためのリソースのセットを特定することができ、リソースのセットはUCIのペイロードサイズに基づいて決定される。いくつかの場合、リソースのセットは、PUCCHリソースのセットおよびPUSCHリソースのセットのうちの少なくとも1つを含む。いくつかの態様では、リソースのセットは、チャネル構造のセットもしくはコーディング方式のセット、または両方を含む。いくつかの例では、リソースのセットは、第1の、第2の、第3の、および第4の時間長のアップリンクTTIをサポートするシステムにおいて、第1の時間長を有するアップリンク制御チャネル、第1の時間長より長い第2の時間長を有するアップリンク制御チャネル、第3の時間長を有するアップリンク共有チャネル、または、第3の時間長より長い第4の時間長を有するアップリンク共有チャネルを含む。
【０１６９】
UE能力構成要素1335はUE能力の指示を受信することができ、アップリンク制御チャネル構成の指示はUE能力に基づく。
【０１７０】
ホッピング構成要素1340は、第1のアップリンク部分内でのUCIの送信のためのホッピングパターンを決定し、ホッピングパターンに対するDMRSのためのシンボルインデックスを決定することができ、ホッピングパターンはUCIのペイロードサイズに基づいてホッピングパターンのセットから選択され、シンボルインデックスはホッピングパターンのセットの各ホッピングパターンに対して同じ値を含む。
【０１７１】
ギャップ延長構成要素1345は、TTIのダウンリンク部分と第1のアップリンク部分との間のギャップ期間の少なくとも一部分と重複するように、アップリンク制御チャネル構成を有するアップリンク制御チャネルの少なくとも一部分を延長し得る。いくつかの場合、アップリンク制御チャネル構成は、ギャップ期間の間にUEを多重化するための第1のコードと、TTIの第1のアップリンク部分の間にUEを多重化するための第2のコードとを含む。
【０１７２】
物理レイヤ構成要素1350は、物理レイヤメッセージを介してこの指示を送信し得る。いくつかの場合、物理レイヤメッセージは、PCFICHまたはPDCCHのうちの少なくとも1つを含む。いくつかの例では、この指示は、アップリンク制御チャネル構成のOFDMシンボルの数、TTIの第1のアップリンク部分のOFDMシンボルの数、TTIの第2のアップリンク部分のOFDMシンボルの数、またはTTIのダウンリンク部分のOFDMシンボルの数、またはこれらの任意の組合せを示す。いくつかの態様では、物理レイヤメッセージは、UE固有のPDCCHメッセージを含む。
【０１７３】
図14は、本開示の態様による、ワイヤレス通信のためのアップリンク制御チャネル構成をサポートするデバイス1405を含むシステム1400の図を示す。デバイス1405は、たとえば図1、図2、図5、図6、図11、および図12を参照して上で説明されたような、基地局105の構成要素の例であることがあり、またはそれを含むことがある。デバイス1405は、基地局通信マネージャ1415、プロセッサ1420、メモリ1425、ソフトウェア1430、トランシーバ1435、アンテナ1440、ネットワーク通信マネージャ1445、および局間通信マネージャ1450を含む、通信を送信して受信するための構成要素を含む双方向の音声およびデータ通信のための構成要素を含み得る。これらの構成要素は、1つまたは複数のバス(たとえば、バス1410)を介して電気的に通信していることがある。デバイス1405は、1つまたは複数のUE115とワイヤレスに通信し得る。
【０１７４】
プロセッサ1420は、インテリジェントハードウェアデバイス(たとえば、汎用プロセッサ、DSP、CPU、マイクロコントローラ、ASIC、FPGA、プログラマブル論理デバイス、個別のゲートもしくはトランジスタ論理構成要素、個別のハードウェア構成要素、またはこれらの任意の組合せ)を含み得る。いくつかの場合、プロセッサ1420は、メモリコントローラを使用してメモリアレイを動作させるように構成され得る。他の場合には、メモリコントローラはプロセッサ1420へと統合され得る。プロセッサ1420は、様々な機能(たとえば、ワイヤレス通信のためのアップリンク制御チャネル構成をサポートする機能またはタスク)を実行するためにメモリに記憶されているコンピュータ可読命令を実行するように構成され得る。
【０１７５】
メモリ1425はRAMおよびROMを含み得る。メモリ1425は、実行されると、プロセッサに本明細書で説明される様々な機能を実行させる命令を含む、コンピュータ可読のコンピュータ実行可能ソフトウェア1430を記憶し得る。いくつかの場合、メモリ1425は、とりわけ、周辺構成要素またはデバイスとの対話などの、基本的なハードウェアおよび/またはソフトウェア動作を制御し得るBIOSを含み得る。
【０１７６】
ソフトウェア1430は、ワイヤレス通信のためのアップリンク制御チャネル構成をサポートするためのコードを含む、本開示の態様の実装するためのコードを含み得る。ソフトウェア1430は、システムメモリまたは他のメモリなどの、非一時的コンピュータ可読媒体に記憶され得る。いくつかの場合、ソフトウェア1430は、プロセッサによって直接実行可能ではないことがあるが、(たとえば、コンパイルされ実行されると)コンピュータに本明細書で説明される機能を実行させることがある。
【０１７７】
トランシーバ1435は、上で説明されたように、1つまたは複数のアンテナ、有線リンク、またはワイヤレスリンクを介して、双方向に通信し得る。たとえば、トランシーバ1435は、ワイヤレストランシーバを表すことがあり、別のワイヤレストランシーバと双方向に通信することがある。トランシーバ1435はまた、パケットを変調し、変調されたパケットを送信のためにアンテナに提供し、アンテナから受信されたパケットを復調するためのモデムを含み得る。
【０１７８】
いくつかの場合、ワイヤレスデバイスは単一のアンテナ1440を含み得る。しかしながら、いくつかの場合、デバイスは、複数のワイヤレス送信を同時に送信または受信することが可能であり得る、2つ以上のアンテナ1440を有し得る。
【０１７９】
ネットワーク通信マネージャ1445は、(たとえば、1つまたは複数の有線バックホールリンクを介して)コアネットワークとの通信を管理し得る。たとえば、ネットワーク通信マネージャ1445は、1つまたは複数のUE115などの、クライアントデバイスのためのデータ通信の転送を管理し得る。
【０１８０】
局間通信マネージャ1450は、他の基地局105との通信を管理することができ、他の基地局105と協調してUE115との通信を制御するためのコントローラまたはスケジューラを含むことがある。たとえば、局間通信マネージャ1450は、ビームフォーミングまたはジョイント送信などの様々な干渉軽減技法のために、UE115への送信のためのスケジューリングを調整し得る。いくつかの例では、局間通信マネージャ1450は、基地局105間での通信を提供するために、LTE/LTE-Aワイヤレス通信ネットワーク技術内のX2インターフェースを提供し得る。
【０１８１】
図15は、本開示の態様による、ワイヤレス通信のためのアップリンク制御チャネル構成の方法1500を示すフローチャートを示す。方法1500の動作は、UE115または本明細書で説明されるようなその構成要素によって実施され得る。たとえば、方法1500の動作は、図7〜図10を参照して説明されたような、UE通信マネージャによって実行され得る。いくつかの例では、UE115は、以下で説明される機能を実行するようにデバイスの機能要素を制御するためのコードのセットを実行し得る。加えて、または代わりに、UE115は、専用のハードウェアを使用して以下で説明される機能の態様を実行し得る。
【０１８２】
ブロック1505において、UE115は、アップリンク制御チャネル構成の指示を受信し得る。ブロック1505の動作は、図1〜図6を参照して説明された方法に従って実行され得る。いくつかの例では、ブロック1505の動作の態様は、図7〜図10を参照して説明されたような、構成構成要素によって実行され得る。
【０１８３】
ブロック1510において、UE115は、ダウンリンク部分、第1のアップリンク部分、および第2のアップリンク部分を有するTTIの第1のアップリンク部分の間の送信のためのUCIを特定することができ、第1のアップリンク部分は第2のアップリンク部分より長い時間長を有する。ブロック1510の動作は、図1〜図6を参照して説明された方法に従って実行され得る。いくつかの例では、ブロック1510の動作の態様は、図7〜図10を参照して説明されたように、UCI構成要素によって実行され得る。
【０１８４】
ブロック1515において、UE115は、アップリンク制御チャネル構成に従ってTTIの第1のアップリンク部分または第2のアップリンク部分の間にUCIを送信することができる。ブロック1515の動作は、図1〜図6を参照して説明された方法に従って実行され得る。いくつかの例では、ブロック1515の動作の態様は、図7〜図10を参照して説明されたように、送信機によって実行され得る。
【０１８５】
図16は、本開示の態様による、ワイヤレス通信のためのアップリンク制御チャネル構成の方法1600を示すフローチャートを示す。方法1600の動作は、UE115または本明細書で説明されるようなその構成要素によって実施され得る。たとえば、方法1600の動作は、図7〜図10を参照して説明されたような、UE通信マネージャによって実行され得る。いくつかの例では、UE115は、以下で説明される機能を実行するようにデバイスの機能要素を制御するためのコードのセットを実行し得る。加えて、または代わりに、UE115は、専用のハードウェアを使用して以下で説明される機能の態様を実行し得る。
【０１８６】
ブロック1605において、UE115は、UE能力の指示を送信することができ、アップリンク制御チャネル構成の指示は、UE能力に少なくとも一部基づく。ブロック1605の動作は、図1〜図6を参照して説明された方法に従って実行され得る。いくつかの例では、ブロック1605の動作の態様は、図7〜図10を参照して説明されたように、UE能力構成要素によって実行され得る。
【０１８７】
ブロック1610において、UE115は、アップリンク制御チャネル構成の指示を受信し得る。ブロック1610の動作は、図1〜図6を参照して説明された方法に従って実行され得る。いくつかの例では、ブロック1610の動作の態様は、図7〜図10を参照して説明されたような、構成構成要素によって実行され得る。
【０１８８】
ブロック1615において、UE115は、ダウンリンク部分、第1のアップリンク部分、および第2のアップリンク部分を有するTTIの第1のアップリンク部分の間の送信のためのUCIを特定することができ、第1のアップリンク部分は第2のアップリンク部分より長い時間長を有する。ブロック1615の動作は、図1〜図6を参照して説明された方法に従って実行され得る。いくつかの例では、ブロック1615の動作の態様は、図7〜図10を参照して説明されたような、UCI構成要素によって実行され得る。
【０１８９】
ブロック1620において、UE115は、アップリンク制御チャネル構成に従ってTTIの第1のアップリンク部分または第2のアップリンク部分の間にUCIを送信することができる。ブロック1620の動作は、図1〜図6を参照して説明された方法に従って実行され得る。いくつかの例では、ブロック1620の動作の態様は、図7〜図10を参照して説明されたような、送信機によって実行され得る。
【０１９０】
図17は、本開示の態様による、ワイヤレス通信のためのアップリンク制御チャネル構成の方法1700を示すフローチャートを示す。方法1700の動作は、UE115または本明細書で説明されるようなその構成要素によって実施され得る。たとえば、方法1700の動作は、図7〜図10を参照して説明されたような、UE通信マネージャによって実行され得る。いくつかの例では、UE115は、以下で説明される機能を実行するようにデバイスの機能要素を制御するためのコードのセットを実行し得る。加えて、または代わりに、UE115は、専用のハードウェアを使用して以下で説明される機能の態様を実行し得る。
【０１９１】
ブロック1705において、UE115は、アップリンク制御チャネル構成の指示を受信し得る。ブロック1705の動作は、図1〜図6を参照して説明された方法に従って実行され得る。いくつかの例では、ブロック1705の動作の態様は、図7〜図10を参照して説明されたような、構成構成要素によって実行され得る。
【０１９２】
ブロック1710において、UE115は、ダウンリンク部分、第1のアップリンク部分、および第2のアップリンク部分を有するTTIの第1のアップリンク部分の間の送信のためのUCIを特定することができ、第1のアップリンク部分は第2のアップリンク部分より長い時間長を有する。ブロック1710の動作は、図1〜図6を参照して説明された方法に従って実行され得る。いくつかの例では、ブロック1710の動作の態様は、図7〜図10を参照して説明されたような、UCI構成要素によって実行され得る。
【０１９３】
ブロック1715において、UE115は、第1のアップリンク部分内でのUCIの送信のためのホッピングパターンを決定することができ、ホッピングパターンは、UCIのペイロードサイズに少なくとも一部基づいてホッピングパターンのセットから選択される。ブロック1715の動作は、図1〜図6を参照して説明された方法に従って実行され得る。いくつかの例では、ブロック1715の動作の態様は、図7〜図10を参照して説明されたような、ホッピング構成要素によって実行され得る。
【０１９４】
ブロック1720において、UE115は、アップリンク制御チャネル構成に従ってTTIの第1のアップリンク部分の間にUCIを送信することができる。ブロック1720の動作は、図1〜図6を参照して説明された方法に従って実行され得る。いくつかの例では、ブロック1720の動作の態様は、図7〜図10を参照して説明されたような、送信機によって実行され得る。
【０１９５】
図18は、本開示の態様による、ワイヤレス通信のためのアップリンク制御チャネル構成の方法1800を示すフローチャートを示す。方法1800の動作は、基地局105または本明細書で説明されるようなその構成要素によって実施され得る。たとえば、方法1800の動作は、図11〜図14を参照して説明されたような、基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用のハードウェアを使用して以下で説明される機能の態様を実行し得る。
【０１９６】
ブロック1805において、基地局105は、アップリンク制御チャネル構成の指示を送信し得る。ブロック1805の動作は、図1〜図6を参照して説明された方法に従って実行され得る。いくつかの例では、ブロック1805の動作の態様は、図11〜図14を参照して説明されたような、構成構成要素によって実行され得る。
【０１９７】
ブロック1810において、基地局105は、ダウンリンク部分、第1のアップリンク部分、および第2のアップリンク部分を有するTTIの第1のアップリンク部分の間のアップリンク制御チャネル構成に従ってUCIを受信することができ、第1のアップリンク部分は第2のアップリンク部分より長い時間長を有する。ブロック1810の動作は、図1〜図6を参照して説明された方法に従って実行され得る。いくつかの例では、ブロック1810の動作の態様は、図11〜図14を参照して説明されたような、UCI構成要素によって実行され得る。
【０１９８】
図19は、本開示の態様による、ワイヤレス通信のためのアップリンク制御チャネル構成の方法1900を示すフローチャートを示す。方法1900の動作は、UE115または本明細書で説明されるようなその構成要素によって実施され得る。たとえば、方法1900の動作は、図7〜図10を参照して説明されたような、UE通信マネージャによって実行され得る。いくつかの例では、UE115は、以下で説明される機能を実行するようにデバイスの機能要素を制御するためのコードのセットを実行し得る。加えて、または代わりに、UE115は、専用のハードウェアを使用して以下で説明される機能の態様を実行し得る。
【０１９９】
ブロック1905において、UE115は送信のためのUCIを特定し得る。ブロック1905の動作は、図1〜図6を参照して説明された方法に従って実行され得る。いくつかの例では、ブロック1905の動作の態様は、図7〜図10を参照して説明されたような、UCI構成要素によって実行され得る。
【０２００】
ブロック1910において、UE115は、UCIのペイロードサイズに少なくとも一部基づいて、UCIの送信のためのアップリンクリソースのセットを決定し得る。ブロック1910の動作は、図1〜図6を参照して説明された方法に従って実行され得る。いくつかの例では、ブロック1910の動作の態様は、図7〜図10を参照して説明されたような、リソース識別器によって実行され得る。
【０２０１】
ブロック1915において、UE115は、アップリンクリソースのセットを使用してUCIを送信し得る。ブロック1915の動作は、図1〜図6を参照して説明された方法に従って実行され得る。いくつかの例では、ブロック1915の動作の態様は、図7〜図10を参照して説明されたような、送信機によって実行され得る。
【０２０２】
図20は、本開示の態様による、ワイヤレス通信のためのアップリンク制御チャネル構成の方法2000を示すフローチャートを示す。方法2000の動作は、基地局105または本明細書で説明されるようなその構成要素によって実施され得る。たとえば、方法2000の動作は、図11〜図14を参照して説明されたような、基地局通信マネージャによって実行され得る。いくつかの例では、基地局105は、以下で説明される機能を実行するようにデバイスの機能要素を制御するためのコードのセットを実行し得る。加えて、または代わりに、基地局105は、専用のハードウェアを使用して以下で説明される機能の態様を実行し得る。
【０２０３】
ブロック2005において、基地局105は、UEからのUCIの受信のためのリソースのセットを特定することができ、リソースのセットはUCIのペイロードサイズに少なくとも一部基づいて決定される。ブロック2005の動作は、図1〜図6を参照して説明された方法に従って実行され得る。いくつかの例では、ブロック2005の動作の態様は、図11〜図14を参照して説明されたような、リソース識別器によって実行され得る。
【０２０４】
ブロック2010において、基地局105は、リソースのセットを介して、UEからUCIを受信し得る。ブロック2010の動作は、図1〜図6を参照して説明された方法に従って実行され得る。いくつかの例では、ブロック2010の動作の態様は、図11〜図14を参照して説明されたような、UCI構成要素によって実行され得る。
【０２０５】
上で説明された方法は可能な実装形態を説明するものであり、動作およびステップは並べ替えられ、または別様に改変されることがあり、他の実装形態が可能であることに留意されたい。さらに、方法のうちの2つ以上からの態様が組み合わされてもよい。
【０２０６】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば交換可能に使用される。CDMAシステムは、CDMA2000、Universal Terrestrial Radio Access(UTRA)などの無線技術を実装し得る。CDMA2000は、IS-2000規格、IS-95規格、およびIS-856規格を包含する。IS-2000 Releaseは一般に、CDMA2000 1X、1Xなどと呼ばれ得る。IS-856(TIA-856)は一般に、CDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile Communications(GSM(登録商標))などの無線技術を実装し得る。
【０２０７】
OFDMAシステムは、Ultra Mobile Broadband(UMB)、Evolved UTRA(E-UTRA)、Institute of Electrical and Electronics Engineers(IEEE) 802.11(Wi-Fi)、IEEE 802.16 (WiMAX)、IEEE 802.20、Flash-OFDMなどの無線技術を実装し得る。UTRAおよびE-UTRAは、Universal Mobile Telecommunications System(UMTS)の一部である。LTEおよびLTE-AはE-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書において記述されている。CDMA2000およびUMBは、「第3世代パートナーシッププロジェクト2」(3GPP2)という名称の組織からの文書において記述されている。本明細書で説明される技法は、上で言及されたシステムおよび無線技術、ならびに他のシステムおよび無線技術のために使用され得る。LTEまたはNRシステムの態様が例示を目的に説明されることがあり、LTEおよびNRの用語が説明の大半において使用されることがあるが、本明細書で説明される技法は、LTEまたはNRの適用例以外に適用可能である。
【０２０８】
本明細書で説明されるそのようなネットワークを含むLTE/LTE-Aネットワークでは、eNBという用語は、一般に基地局を表すために使用され得る。本明細書で説明される1つまたは複数のワイヤレス通信システムは、様々な地理的領域に対するカバレッジを異なるタイプのeNBが提供するような、異種LTE/LTE-AまたはNRネットワークを含み得る。たとえば、各eNB、gNB、または基地局は、マクロセル、スモールセル、または他のタイプのセルに対して通信カバレッジを提供し得る。「セル」という用語は、状況に応じて、基地局、基地局と関連付けられるキャリアもしくはコンポーネントキャリア、または、キャリアもしくは基地局のカバレッジエリア(たとえば、セクタなど)を表すために使用され得る。
【０２０９】
基地局は、基地局トランシーバ、無線基地局、アクセスポイント、無線トランシーバ、NodeB、eNB、gNB、Home NodeB、Home eNodeB、または何らかの他の適切な用語を含むことがあり、または当業者によってそのように呼ばれることがある。基地局の地理的カバレッジエリアは、カバレッジアリアの一部分のみを構成するセクタへと分割され得る。本明細書で説明される1つまたは複数のワイヤレス通信システムは、異なるタイプの基地局(たとえば、マクロセルまたはスモールセル基地局)を含み得る。本明細書で説明されるUEは、マクロeNB、スモールセルeNB、gNB、中継基地局などを含む、様々なタイプの基地局およびネットワーク機器と通信することが可能であり得る。異なる技術に対する重複する地理的カバレッジエリアがあり得る。
【０２１０】
マクロセルは一般に、比較的広い地理的エリア(たとえば、半径数キロメートル)をカバーし、ネットワーク提供者とのサービス契約を有するUEによる無制限のアクセスを許容し得る。スモールセルは、マクロセルと比較して低電力の基地局であり、これは、マクロセルと同じまたは異なる(たとえば、免許、免許不要)周波数帯域で動作し得る。スモールセルは、様々な例に従って、ピコセル、フェムトセル、およびマイクロセルを含み得る。ピコセルは、たとえば、小さい地理的エリアをカバーすることができ、ネットワーク提供者とのサービス契約を有するUEによる無制限のアクセスを許容し得る。フェムトセルも小さい地理的エリア(たとえば、家)をカバーすることができ、フェムトセルとの関連を有するUE(たとえば、限定加入者グループ(CSG)の中のUE、家の中のユーザのUEなど)による制限されたアクセスを提供し得る。マクロセルのeNBはマクロeNBと呼ばれ得る。スモールセルのeNBは、スモールセルeNB、ピコeNB、フェムトeNB、またはホームeNBと呼ばれ得る。eNBは、1つまたは複数(たとえば、2つ、3つ、4つなど)のセル(たとえば、コンポーネントキャリア)をサポートし得る。
【０２１１】
本明細書で説明される1つまたは複数のワイヤレス通信システムは、同期動作または非同期動作をサポートし得る。同期動作では、基地局は同様のフレームタイミングを有することがあり、異なる基地局からの送信は概ね時間的に揃っていることがある。非同期動作では、基地局は異なるフレームタイミングを有することがあり、異なる基地局からの送信は時間的に揃っていないことがある。本明細書で説明される技法は、同期動作または非同期動作のいずれかのために使用され得る。
【０２１２】
本明細書で説明されるダウンリンク送信は、順方向リンク送信とも呼ばれることがあり、一方でアップリンク送信は逆方向リンク送信と呼ばれることもある。たとえば図1および図2のワイヤレス通信システム100および200を含む、本明細書で説明される各通信リンクは、1つまたは複数のキャリアを含むことがあり、各キャリアは複数のサブキャリアから構成される信号(たとえば、異なる周波数の波形信号)であり得る。
【０２１３】
本明細書に記載される説明は、添付の図面とともに、例示的な構成を説明し、実装され得るまたは特許請求の範囲内にあるすべての例を表さない。本明細書で使用される「例示的な」という用語は、「例、事例、または例示として機能する」ことを意味し、「好ましい」または「他の例より有利である」を意味しない。詳細な説明は、説明される技法の理解をもたらす目的で具体的な詳細を含む。しかしながら、これらの技法は、これらの具体的な詳細なしで実践され得る。いくつかの事例では、よく知られている構造およびデバイスは、説明される例の概念を不明瞭にすることを避けるために、ブロック図の形式で示される。
【０２１４】
添付の図面では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって、区別され得る。第1の参照ラベルのみが明細書において使用される場合、その説明は、第2の参照ラベルとは無関係に、同じ第1の参照ラベルを有する同様の構成要素のいずれにも適用可能である。
【０２１５】
本明細書で説明される情報および信号は、多様な異なる技術および技法のいずれかを使用して表され得る。たとえば、上記の説明全体で参照され得るデータ、命令、コマンド、情報、信号、ビット、シンボル、およびチップは、電圧、電流、電磁波、磁場もしくは磁性粒子、光場もしくは光学粒子、またはこれらの任意の組合せによって表され得る。
【０２１６】
本明細書の開示に関連して説明される様々な説明のためのブロックおよびモジュールは、汎用プロセッサ、DSP、ASIC、FPGAもしくは他のプログラマブル論理デバイス、個別ゲートもしくはトランジスタ論理、個別のハードウェア構成要素、または本明細書で説明される機能を実行するように設計されるこれらの任意の組合せで、実装または実行され得る。汎用プロセッサはマイクロプロセッサであり得るが、代替的には、プロセッサは、任意の従来のプロセッサ、コントローラ、マイクロコントローラ、またはステートマシンであり得る。プロセッサは、コンピューティングデバイスの組合せ(たとえば、DSPとマイクロプロセッサの組合せ、複数のマイクロプロセッサ、DSPコアと連携する1つまたは複数のマイクロプロセッサ、または任意の他のそのような構成)として実装され得る。
【０２１７】
本明細書で説明される機能は、ハードウェア、プロセッサによって実行されるソフトウェア、ファームウェア、またはこれらの任意の組合せで実装され得る。プロセッサによって実行されるソフトウェアで実装される場合、機能は、コンピュータ可読媒体上で1つまたは複数の命令またはコードとして記憶され、またはそれらを介して送信され得る。他の例および実装形態が、本開示および添付の特許請求の範囲内にある。たとえば、ソフトウェアの性質により、上で説明される機能は、プロセッサ、ハードウェア、ファームウェア、ハードワイヤリング、またはこれらの任意の組合せによって実行されるソフトウェアを使用して実装され得る。機能を実装する特徴はまた、機能の部分が異なる物理的位置において実装されるように分散されることを含めて、様々な場所に物理的に位置し得る。また、特許請求の範囲を含めて、本明細書で使用される場合、項目の列挙において使用される「または」(たとえば、「の少なくとも1つ」または「のうちの1つまたは複数」などの語句が前にある項目の列挙)は、たとえば、A、B、またはCのうちの少なくとも1つという列挙が、AまたはBまたはCまたはABまたはACまたはBCまたはABC(すなわち、AおよびBおよびC)を意味するような、包含的な列挙を示す。また、本明細書で使用される場合、「に基づく」という語句は、条件の閉集合を参照するものと解釈されるべきではない。たとえば、「条件Aに基づく」ものとして説明される例示的なステップは、本開示の範囲から逸脱することなく、条件Aと条件Bの両方に基づき得る。言い換えると、本明細書で使用される場合、「に基づく」という語句は、「に少なくとも一部基づく」という語句と同じように解釈されるべきである。
【０２１８】
コンピュータ可読媒体は、ある場所から別の場所へのコンピュータプログラムの移送を容易にする任意の媒体を含む、非一時的コンピュータ記憶媒体および通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光学ディスクストレージ、磁気ディスクストレージもしくは他の磁気ストレージデバイス、または、汎用コンピュータもしくは専用コンピュータ、もしくは汎用プロセッサもしくは専用プロセッサによってアクセスされ得る、命令もしくはデータ構造の形式の所望のプログラムコード手段を、搬送もしくは記憶するために使用され得る、任意の他の非一時的媒体を含み得る。また、あらゆる接続が適切にコンピュータ可読媒体と呼ばれる。たとえば、ソフトウェアが、同軸ケーブル、光ファイバケーブル、ツイストペア、デジタル加入者線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、マイクロ波などのワイヤレス技術は、媒体の定義に含まれる。本明細書で使用される場合、ディスク(disk)およびディスク(disc)は、CD、レーザーディスク(登録商標)、光学ディスク、デジタル多用途ディスク(DVD)、フロッピー(登録商標)ディスク、およびBlu-ray(登録商標)ディスクを含み、ディスク(disk)は通常、データを磁気的に再生し、ディスク(disc)はレーザーを用いてデータを光学的に再生する。上記の組合せも、コンピュータ可読媒体の範囲内に含まれる。
【０２１９】
本明細書の説明は、当業者が本開示を作成または使用することを可能にするために与えられる。本開示への様々な修正が当業者に対して容易に明らかになり、本明細書で定義される一般的な原理は、本開示の範囲から逸脱することなく他の変形に適用され得る。したがって、本開示は本明細書で説明される例および設計に限定されず、本明細書で開示される原理および新規の特徴と一致する最も広い範囲が認められるべきである。
【符号の説明】
【０２２０】
105  基地局
110  地理的カバレッジエリア
115  UE
125  通信リンク
130  コアネットワーク
132  バックホールリンク
134  バックホールリンク
205  通信リンク
210  ダウンリンク中心TTI
211  第1のダウンリンク部分
212  第2のダウンリンク部分
213  アップリンク部分
215  アップリンク中心TTI
216  ダウンリンク部分
217  第1のアップリンク部分
218  第2のアップリンク部分
240  ダウンリンク制御チャネル
245  アップリンク制御チャネル
260  アップリンク制御チャネル
305  TTI
310  シンボル
315  アップリンクTTI
320  PDCCH領域
325  ギャップ
330  アップリンクロングバースト領域
335  ULSB領域
340  リソース
345  リソース
350  PUCCH部分
355  PUCCH部分
360  PUCCH部分
405  アップリンクロングバースト領域
410  PUCCH部分
415  延長されたPUCCH部分
420  DMRS
705  ワイヤレスデバイス
710  受信機
715  UE通信マネージャ
720  送信機
805  ワイヤレスデバイス
810  受信機
815  UE通信マネージャ
820  送信機
825  構成構成要素
830  UCI構成要素
835  リソース識別器
915  UE通信マネージャ
920  構成構成要素
925  UCI構成要素
930  リソース識別器
935  UE能力構成要素
940  ホッピング構成要素
945  ギャップ延長構成要素
950  物理レイヤ構成要素
955  セグメンテーション構成要素
960  閾値構成要素
1005  デバイス
1010  バス
1015  UE通信マネージャ
1020  プロセッサ
1025  メモリ
1030  ソフトウェア
1035  トランシーバ
1040  アンテナ
1045  I/Oコントローラ
1105  ワイヤレスデバイス
1110  受信機
1115  基地局通信マネージャ
1120  送信機
1210  受信機
1215  基地局通信マネージャ
1220  送信機
1225  構成構成要素
1230  UCI構成要素
1235  リソース識別器
1315  基地局通信マネージャ
1320  構成構成要素
1325  UCI構成要素
1330  リソース識別器
1335  UE能力構成要素
1340  ホッピング構成要素
1345  ギャップ延長構成要素
1350  物理
1405  デバイス
1410  バス
1415  基地局通信マネージャ
1420  プロセッサ
1425  メモリ
1430  ソフトウェア
1435  トランシーバ
1440  アンテナ
1445  ネットワーク通信マネージャ
1450  局間通信マネージャ
【図１】
2020512746.tif 000003
【図２】
2020512746.tif 000004
【図３】
2020512746.tif 000005
【図４】
2020512746.tif 000006
【図５】
2020512746.tif 000007
【図６】
2020512746.tif 000008
【図７】
2020512746.tif 000009
【図８】
2020512746.tif 000010
【図９】
2020512746.tif 000011
【図１０】
2020512746.tif 000012
【図１１】
2020512746.tif 000013
【図１２】
2020512746.tif 000014
【図１３】
2020512746.tif 000015
【図１４】
2020512746.tif 000016
【図１５】
2020512746.tif 000017
【図１６】
2020512746.tif 000018
【図１７】
2020512746.tif 000019
【図１８】
2020512746.tif 000020
【図１９】
2020512746.tif 000021
【図２０】
2020512746.tif 000022
【国際調査報告】
2020512746.tif 000023
2020512746.tif 000024
2020512746.tif 000025
2020512746.tif 000026
2020512746.tif 000027